(57)【要約】  複数個の容器セグメント（１２ａ、１２ｂ及び１２ｃ）からなるコンポスト容器を備えたコンポスト装置（１０）を提案する。コンポスト容器内に通気器（２０，５２１）を配置し、コンポスト容器外から取り込んだ空気をその通気器によってコンポスト容器内堆肥化途上物中に分散させる。本装置の基礎構造（５０１）に滲出物室（５４５）を設け、堆肥化進行中に堆肥化途上物から漏れ出す液をその滲出物室に収集する。蝟集した堆肥により通気器（２０，５２１）が塞がれることを防ぐため蝟集防止部材（４９，５２７）を設ける。コンポスト容器（１２）内への空気供給を、通気器に代わり又は通気器と共に、プラグ（５７０）によって行う。
2008515752.tif 000002
【特許請求の範囲】
【請求項１】
堆肥原料を入れるコンポスト容器と、
コンポスト容器内に設けられ１個又は複数個の導気口を介しコンポスト容器内に空気を通すことにより好気分解による原料堆肥化を促進する通気器と、
本コンポスト装置外から通気器に空気を供給する空気流路部と、
生成された堆肥が通気器に蝟集することを妨げることにより通気器から導気口を介しコンポスト容器内に至る気流を確保する蝟集防止部材と、
を備えるコンポスト装置。
【請求項２】
請求項１記載のコンポスト装置であって、通気器が直立管を有し、その直立管に１個又は複数個の導気口が設けられたコンポスト装置。
【請求項３】
請求項１記載のコンポスト装置であって、管状の通気器に被せたときにその管の外まで外縁部がはみ出すキャップを、蝟集防止部材として通気器に被せたコンポスト装置。
【請求項４】
請求項１記載のコンポスト装置であって、蝟集防止部材が窪みを有する略円盤状部材であり、その窪みに管状の通気器を入れることによりその管でその蝟集防止部材を支持させたコンポスト装置。
【請求項５】
請求項１記載のコンポスト装置であって、
通気器が、下縁部から上端部に向い窄まった周壁の外表面に複数枚の外羽根が設けられた略円錐状部材を、空気流路部に連通する通気管によって支持し、更に通気管から略円錐状部材の内側に入った気流が周壁下縁部から外に出て行くようにした構成であり、
外羽根が、配設先の周壁に堆肥乃至堆肥化途上物が蝟集し周壁沿い上昇気流を妨げることを防ぎ、ひいては外羽根間気流及び堆肥原料乃至堆肥化途上物内浸透気流を確保する蝟集防止部材として機能するコンポスト装置。
【請求項６】
請求項５記載のコンポスト装置であって、通気器及び通気管を複数個備え、それら通気器及び通気管が、下側通気器上に上側通気管が位置し上側通気管上に上側通気器の略円錐状部材が位置するよう配置されており、下側通気器の略円錐状部材における外羽根間気流が上側通気管を経て上側通気器の略円錐状部材の内側に入りその略円錐状部材の周壁下縁部近辺から外に出て堆肥原料乃至堆肥化途上物に浸透するコンポスト装置。
【請求項７】
請求項６記載のコンポスト装置であって、通気器の略円錐状部材が、上側通気管配置用スタッドが形成されるようその上端部に設けられた複数個の縦鰭を有し、その略円錐状部材における外羽根間気流がその略円錐状部材の縦鰭間を通って上側通気管ひいては上側通気器の略円錐状部材に流れ込むコンポスト装置。
【請求項８】
請求項７記載のコンポスト装置であって、各略円錐状部材が、下側通気管からその略円錐状部材の内側に入った気流を周壁下縁部方向に下降させるよう周壁内表面に設けられた複数枚の内羽根を有するコンポスト装置。
【請求項９】
請求項１記載のコンポスト装置であって、空気流路部が、本コンポスト装置外から空気を受け入れ通気器に導く通気管を有するコンポスト装置。
【請求項１０】
請求項１記載のコンポスト装置であって、排出路形成材を載せた床と、床に形成された滲出物室と、を有する基礎構造を備え、堆肥化途上物からの滲出物が排出路形成材を介し滲出物室に入るコンポスト装置。
【請求項１１】
請求項１記載のコンポスト装置であって、コンポスト容器が、容器セグメント追加によってコンポスト容器容積を随時加増できるよう、複数個の容器セグメントの上下連結によって形成されたコンポスト装置。
【請求項１２】
請求項１１記載のコンポスト装置であって、各容器セグメントの周壁が壁面口を有し、通気器に空気を導入し又は滲出物室から滲出物を排出するための管をその壁面口に通したコンポスト装置。
【請求項１３】
請求項１２記載のコンポスト装置であって、複数個の容器セグメントのうち最下段の容器セグメントの上縁によって基礎構造が支持され、最下段の容器セグメントの上に二段目の容器セグメントが配置されたコンポスト装置。
【請求項１４】
請求項１記載のコンポスト装置であって、堆肥化途上物からの湿気を通す開口が１個又は複数個設けられた床を有する基礎構造と、基礎構造の床の下側に連結されており液体を排出する部材を有する滲出物室と、を備えるコンポスト装置。
【請求項１５】
請求項１４記載のコンポスト装置であって、基礎構造の床が滲出物室の天井を兼ねるコンポスト装置。
【請求項１６】
請求項１４記載のコンポスト装置であって、本コンポスト装置外から通気器に空気を供給する空気流路部が滲出物室を通るコンポスト装置。
【請求項１７】
請求項１２記載のコンポスト装置であって、各容器セグメントが、互いに向かい合うよう配置された第１及び第２壁と、互いに向かい合うよう第１壁第２壁間に配置された第３及び第４壁と、を有し、第１及び第２壁が、それぞれ、中央壁部分と、その中央壁部分に対し所定角度をなすよう配置された２個の側壁部分と、を有するコンポスト装置。
【請求項１８】
請求項１７記載のコンポスト装置であって、その構成が実質的に同一の複数個の容器セグメントが、下側容器セグメントとは９０°異なる向きで上側容器セグメントが下側容器セグメント上に配置されるよう、上下に積み重ねられたコンポスト装置。
【請求項１９】
請求項１７記載のコンポスト装置であって、堆肥原料乃至堆肥化途上物に補助空気を送り込む一体型プラグが、本コンポスト装置の奥に向け突出するよう第３及び第４壁に設けられたコンポスト装置。
【請求項２０】
請求項１２記載のコンポスト装置であって、各容器セグメントの周壁が、第１部分と、第１部分より内側に位置する第２部分と、を有し、複数個の容器セグメントを上下に重ねたときに、ある容器セグメントの第１部分内にその隣の容器セグメントの第２部分が入り込み、それら容器セグメントが一体に保持されるコンポスト装置。
【請求項２１】
請求項１０記載のコンポスト装置であって、その上に微生物が生息できるよう基礎構造に併設された透水性マットを備え、その透水性マットが、その透水性マット及び基礎構造を通り滲出物室に向かう水分に対し生物利用濾過器として作用するコンポスト装置。
【請求項２２】
請求項１２記載のコンポスト装置であって、通気器に空気を導入するための管が入る壁面口が、その管を通る空気がコンポスト容器内部での堆肥化現象に伴う発熱で暖められた上で通気器に供給されるよう、基礎構造より上方に設けられたコンポスト装置。
【請求項２３】
請求項１記載のコンポスト装置であって、
コンポスト容器が、プラグ収容口が設けられた周壁及びプラグ収容口内に配置されたプラグを有し、
プラグが、前面パネル及び気流方向決定器を有し、
気流方向決定器が、上記周壁から奥まった場所に前面パネルからの気流を差し向けるコンポスト装置。
【請求項２４】
請求項２３記載のコンポスト装置であって、前面パネルが複数個の吸気口を有し、気流方向決定器が、上記周壁より奥に突出した室を有するコンポスト装置。
【請求項２５】
請求項２４記載のコンポスト装置であって、上記室が、その中に断熱材が配置された第１房及び第１房から見て上方に傾いた第２房を有し、第２房を形成する上下の壁のうち下側の壁に導気口が１個又は複数個設けられており、第２房内の空気が導気口を介し上記周壁から奥まった場所にある堆肥化途上物に入るコンポスト装置。
【請求項２６】
請求項２５記載のコンポスト装置であって、前面パネルに排出口が１個又は複数個設けられたコンポスト装置。
【請求項２７】
堆肥原料を入れるコンポスト容器と、本コンポスト装置内に配置され堆肥原料及び形成された堆肥を支持する基礎構造と、滲出物をコンポスト容器外に出す排出部材と、を備え、
基礎構造が、その上方が開口しており排出路形成材が入る空間を形成する湾曲した床と、床に形成された滲出物室と、を有し、
形成された滲出物が、床上方の開口及び排出路形成材を介し滲出物室に流れ込み、滲出物室内の滲出物が、排出部材によってコンポスト容器外に出されるコンポスト装置。
【請求項２８】
請求項２７記載のコンポスト装置であって、上記床が、略椀状に湾曲した部分と、下向きに延び滲出物室を形成する部分と、を有するコンポスト装置。
【請求項２９】
請求項２７記載のコンポスト装置であって、コンポスト容器が、コンポスト容器外の空気をコンポスト容器内に供給する通気器を内蔵しており、その空気によってコンポスト容器内堆肥原料の好気分解を促進し堆肥を形成させるコンポスト装置。
【請求項３０】
堆肥原料を入れるコンポスト容器を備え、
コンポスト容器が、それぞれ外部に面する周壁を有し上下に積み重なってコンポスト容器を形成する互いに別体の複数個の容器セグメントを有し、
最上段の容器セグメント上に更に別の容器セグメントを継ぎ足すことによりコンポスト容器の容積を加増可能なコンポスト装置。
【請求項３１】
請求項３０記載のコンポスト装置であって、堆肥原料に空気を供給してその好気分解を促進する通気器を備え、容器セグメントの積み重ね段数を増す際には、既存の通気器の上に別の通気器を配置して通気器合計の寸法を伸ばし、コンポスト容器内に追加される新たな堆肥原料への空気供給ひいてはその好気分解をそれら通気器により促進するコンポスト装置。
【請求項３２】
請求項３０記載のコンポスト装置であって、各容器セグメントが、互いに向かい合うよう配置された第１及び第２壁と、互いに向かい合うよう第１壁第２壁間に配置された第３及び第４壁と、を有し、第１及び第２壁が、それぞれ、中央壁部分と、その中央壁部分に対し所定角度をなすよう配置された２個の側壁部分と、を有するコンポスト装置。
【請求項３３】
請求項３２記載のコンポスト装置であって、その構成が実質的に同一の複数個の容器セグメントが、下側容器セグメントとは９０°異なる向きで上側容器セグメントが下側容器セグメント上に配置されるよう、上下に積み重ねられたコンポスト装置。
【請求項３４】
請求項３２記載のコンポスト装置であって、堆肥原料乃至堆肥化途上物に補助空気を送り込む一体型プラグが、本コンポスト装置の奥に向け突出するよう第３及び第４壁に設けられたコンポスト装置。
【請求項３５】
請求項３３記載のコンポスト装置であって、下側容器セグメント又は基礎構造を縁取る棚状張出及び直立フランジに対応して、容器セグメントを構成する各壁の下部に横縁及び下方突出フランジが設けられたコンポスト装置。
【請求項３６】
請求項３５記載のコンポスト装置であって、上側容器セグメントを受け止めるため、下側容器セグメントを構成する各壁の上部に棚状張出及び上方直立フランジが設けられたコンポスト装置。
【請求項３７】
請求項３６記載のコンポスト装置であって、下側容器セグメントの上部にある棚状張出及び上方直立フランジ上に上側容器セグメントを据えるため、当該上側容器セグメントを構成する壁の下部に横縁及び下方突出フランジが設けられたコンポスト装置。
【請求項３８】
請求項３７記載のコンポスト装置であって、最下段容器セグメントを基礎構造上に配置し下側容器セグメント上に上側容器セグメントを配置するため、容器セグメントを構成する壁に相互位置決め可能な切欠及び耳が設けられたコンポスト装置。
【請求項３９】
請求項３８記載のコンポスト装置であって、容器セグメントを構成する各壁が、外側外被と、内側外被と、外側外被と内側外被の間に配置された断熱ブロックと、を有するコンポスト装置。
【請求項４０】
請求項３０記載のコンポスト装置であって、
コンポスト容器が、プラグ収容口が設けられた周壁及びプラグ収容口内に配置されたプラグを有し、
プラグが、前面パネル及び気流方向決定器を有し、
気流方向決定器が、上記周壁から奥まった場所に前面パネルからの気流を差し向けるコンポスト装置。
【請求項４１】
その周壁によって形成された堆肥化室内に堆肥原料が入るコンポスト容器と、コンポスト容器の周壁上にあるプラグ収容口内に配置されたプラグと、を備え、
プラグが、
（ｉ）上記周壁外からプラグ内に空気を導入するための吸気口が１個又は複数個設けられた前面パネルと、
（ｉｉ）上記周壁の外表面に対して奥まった位置にて空気が堆肥化途上物に入りその空気がその中を上昇していくよう上記周壁に囲まれた堆肥化室内に空気を差し向ける気流方向決定器と、
を有するコンポスト装置。
【請求項４２】
請求項４１記載のコンポスト装置であって、気流方向決定器が、その中に断熱材が配置された第１房と、第１房に連通する第２房と、を有し、第２房を形成する上下の壁のうち少なくとも下側の壁に第２房が先窄まりになるよう上向きのテーパが付されており、本コンポスト装置を地面上に水平に据えたときに上記吸気口より高い位置になるよう、第２房を形成する下側の壁に導気口が設けられたコンポスト装置。
【請求項４３】
請求項４２記載のコンポスト装置であって、第１房と第２房を仕切る隔壁を備え、上記導気口より下方にその隔壁の下縁が位置するコンポスト装置。
【請求項４４】
請求項４１記載のコンポスト装置であって、プラグが、上記周壁の一部分を構成する部分壁と一体化されており、プラグ収容口が、上記部分壁を収容できるよう且つ当該部分壁を収容したときプラグが上記周壁の内表面から奥まった場所に届くよう、設けられたコンポスト装置。
【請求項４５】
請求項４４記載のコンポスト装置であって、気流方向決定器が、ほぼ真横に延びる上側の壁と、上記周壁から斜め上に延びる下側の壁と、前面パネルとなる部分を含み当該上側の壁と当該下側の壁の間に位置し且つ当該前面パネルとなる部分に複数個の吸気口が形成された外壁と、を有し、これらの壁により略三角形断面部分を有する室が形成されたコンポスト装置。
【請求項４６】
請求項４５記載のコンポスト装置であって、気流方向決定器の上側の壁が、前面パネルを超えて外側に張り出した廂を有し、その廂によって吸気口をカバーし吸気口の閉塞を防ぐコンポスト装置。
【請求項４７】
請求項４１記載のコンポスト装置であって、堆肥原料の堆肥化によって生じた重いガスを本コンポスト装置から排出するための排出口が、プラグ下部に設けられたコンポスト装置。
【請求項４８】
請求項４１記載のコンポスト装置であって、気流方向決定器が、堆肥化室内の上記周壁から奥まった場所までその一部が入り込むようプラグを貫通する傾斜管を有し、傾斜管が、上記吸気口を形成する開放端と、内側端と、を有し、傾斜管のうち堆肥化室内に延びた部分の下面上、内側端に近接した位置に導気口が設けられており、開放端の位置がこの導気口より低くなるよう傾斜管を傾斜させたコンポスト装置。
【請求項４９】
請求項４８記載のコンポスト装置であって、傾斜管の下方に設けられ横方向に延びる水平管を備えるコンポスト装置。
【請求項５０】
堆肥原料を入れるコンポスト容器と、コンポスト容器内に配置された通気器と、コンポスト容器外から通気器の内部室に空気を供給する空気流路部と、を備え、
通気器が、下縁部から上端部に向い窄まった形状を有し上記内部室を形成する周壁と、周壁の外表面上に設けられた複数枚の外羽根と、を有する略円錐状部材を備え、
空気流路部を出た気流が上記内部室に入り、周壁下縁部を巡って周壁外表面に達し、外羽根間を通って上昇しつつコンポスト容器内堆肥化途上物に浸透するコンポスト装置。
【請求項５１】
請求項５０記載のコンポスト装置であって、略円錐状部材が、その周壁の内表面上に設けられた複数枚の内羽根を有し、それら内羽根によって、空気流路部から出た気流を助力し周壁下縁部まで下降させるコンポスト装置。
【請求項５２】
請求項５１記載のコンポスト装置であって、コンポスト容器内で通気器を支持できるよう、空気流路部を構成する通気管によって略円錐状部材を支持し、その際その通気管上に略円錐状部材を載せるために略円錐状部材に横縁が設けられたコンポスト装置。
【請求項５３】
請求項５２記載のコンポスト装置であって、上記横縁がその周壁の内表面上にある内羽根上に形成されたコンポスト装置。
【請求項５４】
請求項５０記載のコンポスト装置であって、略円錐状部材が、その上端部に設けられた複数個の縦鰭を有し、それら縦鰭上に別の管を配置したとき略円錐状部材周壁外表面に沿って外羽根間を上昇した気流が縦鰭間を通ってその管に入るコンポスト装置。
【請求項５５】
請求項５４記載のコンポスト装置であって、その上に上記別の管が配置される横縁が外羽根上に形成され、当該別の管が縦鰭上に座したコンポスト装置。
【請求項５６】
請求項５５記載のコンポスト装置であって、縦鰭が外羽根と一続きになっており、上記横縁が外羽根と縦鰭の境目部分に形成されており、その横縁上に上記別の管が載るコンポスト装置。
【請求項５７】
請求項５６記載のコンポスト装置であって、上記別の管の上に別の略円錐状部材を配置することによって別の通気器が形成されたコンポスト装置。
【発明の詳細な説明】
【技術分野】
【０００１】
本発明は、堆肥原料を堆肥化するためのコンポスト装置に関する。
【背景技術】
【０００２】
堆肥化は環境に優しい有機廃棄物処分方法である。一般に、良質な堆肥（コンポスト）を得るには堆肥原料を好気性の菌又は細菌により分解するのが望ましいとされている。また、この種の分解即ち好気分解に適した環境を発生させることができれば、堆肥原料を迅速に分解し良質な堆肥を得ることができる。
【０００３】
更に、堆肥化途上物から排出される滲出物（リチェート）を収集して再利用するのが望ましいとされている。また、滲出物を単純に地上に排出させるよりは、滲出物を収集して廃棄する方がやはり望ましいことである。
【０００４】
そして、様々な用途向けに様々な容積の堆肥化用コンポスト容器が求められている。
【発明の開示】
【発明が解決しようとする課題】
【０００５】
本発明の第１の目的は、堆肥原料をより好適に好気分解できより良質な堆肥が得られるコンポスト装置を提供することにある。
【０００６】
本発明の第２の目的は、コンポスト装置内堆肥化途上物から出てくる滲出物を収集可能にすることにある。
【０００７】
本発明の第３の目的は、コンポスト容器容積を随時加増可能にすることにある。
【課題を解決するための手段】
【０００８】
ここに、本発明の一実施形態に係るコンポスト装置は、
堆肥原料を入れるコンポスト容器と、
コンポスト容器内に設けられ１個又は複数個の導気口を介しコンポスト容器内に空気を通すことにより好気分解による原料堆肥化を促進する通気器（エアレータ）と、
本コンポスト装置外から通気器に空気を供給する空気流路部と、
生成された堆肥が通気器に蝟集することを妨げることにより通気器から導気口を介しコンポスト容器内に至る気流を確保する蝟集防止（アンチコンパクション）部材と、
を備える。
【０００９】
本実施形態においては、例えば、通気器として直立管を設け、その直立管に１個又は複数個の導気口を設ける。
【００１０】
本実施形態においては、例えば、管状の通気器に被せたときにその管の外まで外縁部がはみ出すキャップを、蝟集防止部材として通気器に被せる。
【００１１】
本実施形態においては、例えば、窪みが設けられた略円盤状部材を蝟集防止部材として用い、その窪みに管状の通気器を入れることによって、その管でその蝟集防止部材を支持させる。
【００１２】
特に好ましくは、その下縁部から上端部に向い窄まった周壁の外表面に複数枚の外羽根を設けた略円錐状部材によって、通気器を構成する。この略円錐状部材は、通気管からその内側に入った気流が周壁下縁部から外に出ていくよう、空気流路部に連通する通気管によって支持する。更に、周壁外表面に設けた複数枚の外羽根を蝟集防止部材として機能させる。即ち、外羽根はその配設先の周壁に物質が蝟集し周壁沿い上昇気流を妨げることを防ぎ、ひいては外羽根間気流及び堆肥原料乃至堆肥化途上物内浸透気流が確保されるようにする。
【００１３】
好ましくは、通気器及び通気管を複数個設け、それら通気器及び通気管を、下側通気器上に上側通気管が位置し上側通気管上に上側通気器の略円錐状部材が位置するよう配置する。下側通気器の略円錐状部材における外羽根間気流は、上側通気管を経て上側通気器の略円錐状部材の内側に入り、その略円錐状部材の周壁下縁部近辺から外に出て、堆肥原料乃至堆肥化途上物に浸透する。
【００１４】
好ましくは、略円錐状部材上端部に複数個の縦鰭を設けそれらによって上側通気管配置用スタッドを形成する。その略円錐状部材における外羽根間気流は、その略円錐状部材の縦鰭間を通って上側通気管ひいては上側通気器の略円錐状部材に流れ込むようにする。
【００１５】
好ましくは、各略円錐状部材の周壁内表面に複数枚の内羽根を設け、下側通気管からその略円錐状部材の内側に入った気流をそれらの内羽根によって周壁下縁部方向に下降させる。
【００１６】
本実施形態においては、例えば、本コンポスト装置外から空気を受け入れ通気器に導く通気管によって空気流路部を構成する。
【００１７】
本実施形態においては、例えば、排出路形成材を載せた床と、床に形成された滲出物室と、を有する基礎構造（ベース）を設け、堆肥化途上物からの滲出物が、排出路形成材を介し滲出物室に入るようにする。
【００１８】
本実施形態においては、例えば、滲出物室上に排出口カバーを設ける。排出口カバーには、その排出口カバーを介し滲出物室に滲出物が入るよう、開口を１個又は複数個設けておく。
【００１９】
本実施形態においては、例えば、滲出物室からコンポスト容器外に滲出物を出すための排出管を滲出物室に設ける。
【００２０】
本実施形態においては、例えば、基礎構造に直立支柱を設けその直立支柱によって通気器を支持させる。
【００２１】
本実施形態においては、例えば、容器セグメント追加によってコンポスト容器容積を随時加増できるよう、複数個の容器セグメントの上下連結によってコンポスト容器を形成する。
【００２２】
本実施形態においては、例えば、各容器セグメントの周壁に壁面口を設けて管を通し、その管を介し通気器に空気を導入し又は滲出物室から滲出物を排出させる。
【００２３】
本実施形態においては、例えば、複数個の容器セグメントのうち最下段の容器セグメントの上縁によって基礎構造を支持し、最下段の容器セグメントの上に二段目の容器セグメントを載せる。
【００２４】
本実施形態においては、例えば、最下段容器セグメントに支柱を設けて滲出物室を支持させる。
【００２５】
特に好ましくは、堆肥化途上物からの湿気を通す開口が１個又は複数個設けられた床を有する基礎構造を用い、その基礎構造の床の下側に、液体を排出する部材を有する滲出物室を連結する。
【００２６】
好ましくは、基礎構造の床を以て滲出物室の天井を兼ねさせる。
【００２７】
好ましくは、本コンポスト装置外から通気器に空気を供給する空気流路部を滲出物室に通す。
【００２８】
本実施形態においては、例えば、各容器セグメントを三分割形成し、各部分を継ぎ合わせて周壁を形成する。周壁の断面形状は、例えば円、正方形、長方形、卵形等、所望の形状にすることができる。
【００２９】
特に好ましくは、各容器セグメントを、互いに向かい合うよう配置された第１及び第２壁と、互いに向かい合うよう第１壁第２壁間に配置された第３及び第４壁とにより形成し、第１及び第２壁を、それぞれ、中央壁部分と、その中央壁部分に対し所定角度をなすよう配置された２個の側壁部分とにより形成する。
【００３０】
好ましくは、その構成が実質的に同一の複数個の容器セグメントを、下側容器セグメントとは９０°異なる向きで上側容器セグメントが下側容器セグメント上に配置されるよう、上下に積み重ねるようにする。
【００３１】
好ましくは、堆肥原料乃至堆肥化途上物に補助空気を送り込む一体型プラグを、本コンポスト装置の奥に向け突出するよう第３及び第４壁に設ける。
【００３２】
本実施形態においては、或いは、容器セグメント同士を連結する連結コネクタ部材を各容器セグメントに設ける。
【００３３】
本実施形態においては、或いは、各容器セグメントの周壁を、第１部分と、第１部分より内側に位置する第２部分とによって構成し、複数個の容器セグメントを上下に重ねたときに、ある容器セグメントの第１部分内にその隣の容器セグメントの第２部分が入り込み、それら容器セグメントが一体に保持されるようにする。
【００３４】
本実施形態においては、例えば、その上に微生物が生息できるよう透水性マットを基礎構造に併設し、その透水性マット及び基礎構造を通り滲出物室に向かう水分に対しその透水性マットを生物利用濾過器（バイオフィルタ）として作用させる。
【００３５】
本実施形態においては、例えば、基礎構造及び滲出物室を受け止める桶をコンポスト容器に設け、その桶を、滲出物室やコンポスト容器から滲出物を収集するための滲出物収集桶として使用する。
【００３６】
本実施形態においては、例えば、プラスチック繊維から形成された透水性マットや、有機繊維素材例えばココヤシ繊維から形成された透水性マットを用いる。
【００３７】
本実施形態においては、例えば、通気器に空気を導入するための管が入る壁面口を、その管を通る空気がコンポスト容器内部での堆肥化現象に伴う発熱で暖められた上で通気器に供給されるよう、基礎構造より上方に設ける。
【００３８】
本実施形態においては、例えば、コンポスト容器の周壁にプラグ収容口を設け、そのプラグ収容口内にプラグを配置する。プラグには前面パネル及び気流方向決定器を設け、その気流方向決定器によって、周壁から奥まった場所に前面パネルからの気流を差し向ける。
【００３９】
本実施形態においては、例えば、前面パネルに複数個の吸気口を設け、気流方向決定器として、周壁より奥に突出した室を形成する。
【００４０】
本実施形態においては、例えば、気流方向決定器に、その中に断熱材が配置された第１房及び第１房から見て上方に傾いた第２房を有する室を設け、第２房を形成する上下の壁のうち下側の壁に導気口を１個又は複数個設け、第２房内の空気が導気口を介し周壁から奥まった場所で堆肥化途上物に入るようにする。
【００４１】
本実施形態においては、例えば、前面パネルに排出口を１個又は複数個設ける。
【００４２】
本発明の他の実施形態に係るコンポスト装置は、
堆肥原料を入れるコンポスト容器と、本コンポスト装置内に配置され堆肥原料及び形成された堆肥を支持する基礎構造と、滲出物をコンポスト容器外に出す排出部材と、を備え、
基礎構造が、その上方が開口しており排出路形成材が入る空間を形成する湾曲した床と、床に形成された滲出物室と、を有し、
形成された滲出物を、床上方の開口及び排出路形成材を介し滲出物室に流れ込ませ、滲出物室内の滲出物を、排出部材によってコンポスト容器外に出す。
【００４３】
本実施形態においては、例えば、基礎構造の床の一部を略椀状に湾曲させ、更に下向きに延ばした部分で滲出物室を形成する。
【００４４】
本実施形態においては、例えば、コンポスト容器外の空気をコンポスト容器内に供給する通気器をコンポスト容器に内蔵させ、その空気によってコンポスト容器内堆肥原料の好気分解を促進し堆肥を形成させる。
【００４５】
本発明の更に他の実施形態に係るコンポスト容器は、内部空洞を有しコンポスト容器に被せられる蓋を備える。この蓋には、その内部空洞とコンポスト容器内とを連通させるための孔を設ける。この蓋には、更に、コンポスト容器にその蓋を被せると蓋の内部空洞とコンポスト容器の間に位置することとなるよう、断熱材の層を設ける。従って、コンポスト容器に本蓋を被せるとその蓋の外面と断熱材の層の間に内部空洞が位置することとなるので、本蓋の孔を通って内部空洞に入った水蒸気が本蓋の外面上で凝縮し、その面に形成されている排出収集部位に向かって水分が流れ出す。
【００４６】
本実施形態においては、例えば、その上に微生物が生息できるよう透水性マットを基礎構造に併設し、その透水性マット及び基礎構造を通り滲出物室に向かう水分に対しその透水性マットを生物利用濾過器として作用させる。
【００４７】
本実施形態においては、例えば、基礎構造及び滲出物室を受け止める桶をコンポスト容器に設け、その桶を、滲出物室やコンポスト容器から滲出物を収集するための滲出物収集桶として使用する。
【００４８】
本実施形態においては、例えば、プラスチック繊維から形成された透水性マットや、有機繊維素材例えばココヤシ繊維から形成された透水性マットを用いる。
【００４９】
本実施形態においては、例えば、通気器に空気を導入するための管が入る壁面口を、その管を通る空気がコンポスト容器内部での堆肥化現象に伴う発熱で暖められた上で通気器に供給されるよう、基礎構造より上方に設ける。
【００５０】
本実施形態においては、例えば、容器セグメント個数設定によって所望容積のコンポスト容器を形成できまたコンポスト容器容積を随時加増できるよう、複数個の容器セグメントの上下連結によってコンポスト容器を形成する。
【００５１】
本実施形態においては、例えば、複数個の容器セグメントのうち最下段の容器セグメントの上縁によって基礎構造を支持する。
【００５２】
本実施形態においては、例えば、通気器として直立管を設け、その直立管に１個又は複数個の導気口を設ける。
【００５３】
本実施形態においては、例えば、管状の通気器に被せたときにその管の外まで外縁部がはみ出す蝟集防止部材を、通気器に被せる。
【００５４】
本実施形態においては、例えば、窪みが設けられた略円盤状部材を蝟集防止部材として用い、管状の通気器をその窪みに入れ、その管によって蝟集防止部材を支持させる。
【００５５】
本実施形態においては、例えば、空気流路部を、本コンポスト装置外から空気を受け入れ通気器に導く通気管によって構成する。
【００５６】
本実施形態においては、例えば、滲出物室上に排出口カバーを設ける。排出口カバーには、その排出口カバーを介し滲出物室に滲出物が入るよう開口を１個又は複数個設けておく。
【００５７】
本実施形態においては、例えば、滲出物室からコンポスト容器外に滲出物を出すための排出管を、排出部材として設ける。
【００５８】
本実施形態においては、例えば、基礎構造に直立支柱を設け、その直立支柱によって通気器を支持させる。
【００５９】
本実施形態においては、例えば、容器セグメント追加によってコンポスト容器容積を随時加増できるよう、複数個の容器セグメントの上下連結によってコンポスト容器を形成する。
【００６０】
本実施形態においては、例えば、各容器セグメントの周壁に壁面口を設けて管を通し、その管を介し通気器に空気を導入し又は滲出物室から滲出物を排出させる。
【００６１】
本実施形態においては、例えば、複数個の容器セグメントのうち最下段の容器セグメントの上縁によって基礎構造を支持し、最下段の容器セグメントの上に二段目の容器セグメントを載せる。
【００６２】
本実施形態においては、例えば、最下段容器セグメントに支柱を設け、その支柱により滲出物室を支持させる。
【００６３】
本実施形態においては、例えば、各容器セグメントを三分割形成し、各部分を継ぎ合わせて周壁を形成する。周壁の断面形状は、例えば円、正方形、長方形、卵形等、所望の形状にすることができる。
【００６４】
本実施形態においては、或いは、容器セグメント同士を連結する連結コネクタ部材を各容器セグメントに設ける。
【００６５】
本実施形態においては、或いは、各容器セグメントの周壁を、第１部分と、第１部分より内側に位置する第２部分とによって構成し、複数個の容器セグメントを上下に重ねたときに、ある容器セグメントの第１部分内にその隣の容器セグメントの第２部分が入り込み、それら容器セグメントが一体に保持されるようにする。
【００６６】
本実施形態においては、例えば、コンポスト容器の周壁にプラグ収容口を設け、そのプラグ収容口内にプラグを配置する。プラグには前面パネル及び気流方向決定器を設け、その気流方向決定器によって、コンポスト容器の周壁から奥まった場所に前面パネルからの気流を差し向ける。
【００６７】
本実施形態においては、例えば、前面パネルに複数個の吸気口を設け、気流方向決定器に形成した室を、コンポスト容器の周壁から奥まった場所に突出させる。
【００６８】
本実施形態においては、例えば、気流方向決定器に、その中に断熱材が配置された第１房及び第１房から見て上方に傾いた第２房を有する室を設け、第２房を形成する上下の壁のうち下側の壁に導気口を１個又は複数個設け、第２房内の空気がコンポスト容器の周壁から奥まった場所で導気口を介し堆肥化途上物に入るようにする。
【００６９】
本発明の他の実施形態に係るコンポスト装置は、
堆肥原料を入れるコンポスト容器を備え、
そのコンポスト容器が、それぞれ外部に面する周壁を有し上下に積み重なってコンポスト容器を形成する互いに別体の複数個の容器セグメントを有するので、
最上段の容器セグメント上に更に別の容器セグメントを継ぎ足すことによりその容積を加増可能である。
【００７０】
好ましくは、コンポスト容器外から空気を供給してコンポスト容器内の堆肥原料乃至堆肥化途上物の好気分解を促進する通気器を設ける。
【００７１】
好ましくは、容器セグメントの積み重ね段数を増す際に、既存の通気器の上に別の通気器を配置して通気器合計の寸法を伸ばし、コンポスト容器内に追加される新たな堆肥原料への空気供給ひいてはその好気分解をそれら通気器により促進させる。
【００７２】
本発明の好適な実施形態においては、各容器セグメントを、互いに向かい合うよう配置された第１及び第２壁と、互いに向かい合うよう第１壁第２壁間に配置された第３及び第４壁とにより形成し、第１及び第２壁を、それぞれ、中央壁部分と、その中央壁部分に対し所定角度をなすよう配置された２個の側壁部分とにより形成する。
【００７３】
好ましくは、その構成が実質的に同一の複数個の容器セグメントを、下側容器セグメントとは９０°異なる向きで上側容器セグメントが下側容器セグメント上に配置されるよう、上下に積み重ねる。
【００７４】
好ましくは、堆肥原料乃至堆肥化途上物に補助空気を送り込む一体型プラグを、本コンポスト装置の奥に向け突出するよう、第３及び第４壁に設ける。
【００７５】
好ましくは、その下側にある基礎構造又は容器セグメントを縁取る棚状張出及び直立フランジに対応して、容器セグメントを構成する各壁の下部に横縁及び下方突出フランジを設ける。
【００７６】
好ましくは、上側の容器セグメントを受け止めるため、容器セグメントを構成する各壁の上部に棚状張出及び上方直立フランジを設ける。
【００７７】
好ましくは、下側の容器セグメントの上部にある棚状張出及び上方直立フランジ上に上側容器セグメントを据えるため、上側容器セグメントを構成する各壁の下部に横縁及び下方突出フランジを設ける。
【００７８】
好ましくは、最下段容器セグメントを基礎構造上に配置し上側容器セグメントを下側容器セグメント上に配置するため、容器セグメントを構成する壁に相互位置決め可能な切欠及び耳を設ける。
【００７９】
好ましくは、容器セグメントを構成する各壁を、外側外被と、内側外被と、外側外被と内側外被の間に配置された断熱ブロックとにより形成する。
【００８０】
本発明の更に他の実施形態に係るコンポスト容器は、内部空洞を有しコンポスト容器に被せられる蓋を備える。この蓋には、その内部空洞とコンポスト容器内とを連通させるための孔を設ける。この蓋には、更に、コンポスト容器にその蓋を被せると内部空洞とコンポスト容器の間に位置することとなるよう、断熱材の層を設ける。従って、コンポスト容器に本蓋を被せるとその外面と断熱材の層の間に本蓋の内部空洞が位置することとなるので、本蓋の孔を通ってその内部空洞に入った水蒸気が本蓋の外面上で凝縮し、その面に形成されている排出収集部位に向かって水分が流れ出す。
【００８１】
本実施形態においては、例えば、その上に微生物が生息できるよう透水性マットを基礎構造に併設し、その透水性マット及び基礎構造を通り滲出物室に向かう水分に対しその透水性マットを生物利用濾過器として作用させる。
【００８２】
本実施形態においては、例えば、基礎構造及び滲出物室を受け止める桶をコンポスト容器に設け、その桶を、滲出物室やコンポスト容器から滲出物を収集するための滲出物収集桶として使用する。
【００８３】
本実施形態においては、例えば、プラスチック繊維から形成された透水性マットや、有機繊維素材例えばココヤシ繊維から形成された透水性マットを用いる。
【００８４】
本実施形態においては、例えば、通気器に空気を導入するための管が入る壁面口を、その管を通る空気がコンポスト容器内部での堆肥化現象に伴う発熱で暖められた上で通気器に供給されるよう、基礎構造より上方に設ける。
【００８５】
本実施形態においては、例えば、各容器セグメントを三分割形成し、各部分を継ぎ合わせて周壁を形成する。
【００８６】
本実施形態においては、或いは、各容器セグメントの周壁を、第１部分と、第１部分より内側に位置する第２部分とによって構成し、複数個の容器セグメントを上下に重ねたときに、ある容器セグメントの第１部分内にその隣の容器セグメントの第２部分が入り込み、それら容器セグメントが一体に結合されるようにする。
【００８７】
好ましくは、各容器セグメントの周壁の第１部分と第２部分を壁の一部分によってつなぐ。
【００８８】
本実施形態においては、例えば、最下段容器セグメントの周壁の第１部分の内側に最下段容器セグメント用下端外被を配置し、最上段容器セグメントの周壁の第２部分の回りに最上段容器セグメント用上端外被を配置する。
【００８９】
本実施形態においては、例えば、ある容器セグメントの周壁の第１部分とその隣の容器セグメントの周壁の第２部分の間に生じた空間に、断熱材を配する。
【００９０】
本実施形態においては、例えば、通気器として直立管を設け、その直立管に１個又は複数個の導気口を設ける。
【００９１】
本実施形態においては、例えば、管状の通気器に被せたときにその管の外まで外縁部がはみ出す蝟集防止部材を、通気器に被せる。
【００９２】
好ましくは、窪みが設けられた略円盤状部材を蝟集防止部材として用い、管状の通気器をその窪みに入れ、その管によって蝟集防止部材を支持させる。
【００９３】
好ましくは、本コンポスト装置外から空気を受け入れ通気器に導く通気管を設ける。
【００９４】
好ましくは、排出路形成材を載せた床と、床に形成された滲出物室と、を有する基礎構造を設け、堆肥化途上物からの滲出物が、排出路形成材を介し滲出物室に入るようにする。
【００９５】
好ましくは、滲出物室上に排出口カバーを設ける。排出口カバーには、その排出口カバーを介し滲出物室に滲出物が入るよう開口を１個又は複数個設けておく。
【００９６】
好ましくは、滲出物室からコンポスト容器外に滲出物を出す排出管を滲出物室に設ける。
【００９７】
好ましくは、基礎構造に直立支柱を設けその直立支柱によって通気器を支持させる。
【００９８】
本実施形態においては、例えば、コンポスト容器の周壁にプラグ収容口を設け、そのプラグ収容口内にプラグを配置する。プラグには前面パネル及び気流方向決定器を設け、その気流方向決定器によって、コンポスト容器の周壁から奥まった場所に前面パネルからの気流を差し向ける。
【００９９】
好ましくは、前面パネルに複数個の吸気口を設け、気流方向決定器に、コンポスト容器の周壁より奥に突出した室を形成する。
【０１００】
好ましくは、気流方向決定器の室に、その中に断熱材が配置された第１房及び第１房から見て上方に傾いた第２房を設け、第２房を形成する上下の壁のうち下側の壁に導気口を１個又は複数個設け、第２房内の空気がコンポスト容器の周壁から奥まった場所で導気口を介し堆肥化途上物に入るようにする。
【０１０１】
本発明の更に他の実施形態に係るコンポスト装置用基礎構造は、
その上部に開口があり排出路形成材が載る空間を形成する湾曲した床と、
堆肥化中に発生する滲出物が排出路形成材を介し入ってくるよう床に形成された滲出物室と、
滲出物室内の滲出物を基礎構造外に排出する排出部材と、
を備える。
【０１０２】
好ましくは、基礎構造の床の一部を略椀状に湾曲させ、更に下向きに延ばした部分で滲出物室を形成する。
【０１０３】
本発明の更に他の実施形態に係るコンポスト装置用蓋は、
その中で堆肥化途上物が堆肥化する堆肥化室及び開口部を有するコンポスト装置の蓋として使用され、
当該開口部の閉止に使用されその裏面に孔がある蓋部材と、蓋部材の裏面に沿って配置された断熱材と、を備え、
断熱材と蓋外面との間に空洞が形成されており、
蓋裏面孔を介し蓋空洞内に入った水蒸気が蓋外面に接して凝縮しその面から収集されるよう、構成される。
【０１０４】
本発明の更に他の実施形態に係るコンポスト装置は、
その周壁によって形成された堆肥化室内に堆肥原料が入るコンポスト容器と、コンポスト容器の周壁上にあるプラグ収容口内に配置されたプラグと、を備え、
プラグが、
（ｉ）コンポスト容器の周壁外からプラグ内に空気を導入するための吸気口が１個又は複数個設けられた前面パネルと、
（ｉｉ）コンポスト容器の周壁の外表面に対し奥まった位置にて空気が堆肥化途上物に入りその空気がその中を上昇していくよう上記周壁に囲まれた堆肥化室内に空気を差し向ける気流方向決定器と、
を有する。
【０１０５】
本実施形態においては、例えば、気流方向決定器に、その中に断熱材が配置された第１房と、第１房に連通する第２房とを設け、第２房を形成する上下の壁のうち少なくとも下側の壁に第２房が先窄まりになるよう上向きのテーパを付し、本コンポスト装置を地面上に水平に据えたときに吸気口より高い位置になるよう、第２房を形成する下側の壁に導気口を設ける。
【０１０６】
本実施形態においては、例えば更に、導気口より下方にその下縁が位置することとなるよう、第１房と第２房を仕切る隔壁を設ける。
【０１０７】
本実施形態においては、例えば、第２房の上側及び下側の壁を共に傾斜させてもよいが、隔壁を使用して上側の壁を実質的に横壁（天井）にするとよい。
【０１０８】
特に好ましくは、コンポスト容器の周壁の一部分を構成する部分壁とプラグを一体化し、プラグ収容口を、その部分壁を収容できるよう且つ当該部分壁を収容したときプラグが周壁の内表面から奥まった場所に届くよう、設ける。
【０１０９】
好ましくは、気流方向決定器を、ほぼ真横に延びる上側の壁と、コンポスト容器の周壁から斜め上に延びる下側の壁と、前面パネルとなる部分を含み当該上側の壁と当該下側の壁の間に位置し且つ当該前面パネルとなる部分に複数個の吸気口が形成された外壁とによって構成し、これらの壁により略三角形断面部分を有する室を形成する。
【０１１０】
好ましくは、気流方向決定器の上側の壁に、前面パネルを超えて外側に張り出した廂を設け、その廂によって吸気口をカバーしその閉塞を防ぐ。
【０１１１】
好ましくは、堆肥原料の堆肥化によって生じた重いガスを本コンポスト装置から排出するための排出口を、プラグ下部に設ける。
【０１１２】
本実施形態においては、或いは、気流方向決定器を、堆肥化室内の上記周壁から奥まった場所までその一部が入り込むようプラグを貫通する傾斜管によって構成し、その傾斜管の開放端によって吸気口を形成し、傾斜管のうち堆肥化室内に延びた部分の下面上、傾斜管の内側端に近接した位置に導気口を設け、開放端の位置がこの導気口より低くなるよう傾斜端を傾斜させる。
【０１１３】
好ましくは、傾斜管の下方に、横方向に延びる水平管を設ける。
【０１１４】
好ましくは、略円錐状部材の周壁の内表面上に内羽根を間隔配置し、それら内羽根上に横縁を形成する。
【０１１５】
好ましくは、略円錐状部材の上端部に複数個の縦鰭を設け、それら縦鰭上に別の管を配置したとき、略円錐状部材の周壁外表面に沿って外羽根間を上昇した気流がそれら縦鰭間を通ってその管に入るようにする。
【０１１６】
好ましくは、その上に上記別の管が配置される横縁を外羽根上に形成し、当該別の管を縦鰭上に据える。
【０１１７】
好ましくは、縦鰭を外羽根と一続きに設け、横縁を外羽根と縦鰭の境目部分に形成し、その横縁上に別の管を載せる。
【０１１８】
好ましくは、別の管の上に別の略円錐状部材を配置することによって別の通気器を形成する。
【発明の効果】
【０１１９】
堆肥やその原料が通気器の周囲に蝟集すると、それによって通気器の導気口が閉鎖されコンポスト容器内への空気流入が妨げられる。本発明ではこの蝟集を防止する蝟集防止部材を設けているため、通気器からコンポスト容器内に至る良質な気流が発生し、コンポスト容器内に追加された堆肥原料を好適に好気分解できる条件が成り立ち、通気器を中心に堆肥が次々と形成されていく。
【０１２０】
また、複数個の容器セグメントによってコンポスト容器を形成する構成においては、例えば容器セグメント積み上げ個数を選択することにより特定容積のコンポスト容器を形成できる。従って、堆肥化途上物の嵩が増す等したためコンポスト容器の容積を増加させたい場合は、最上段容器セグメントに別の容器セグメントを追加し、更に別の容器セグメントを追加し、等々の措置を執ることにより、コンポスト装置容積を増加させることができる。
【発明を実施するための最良の形態】
【０１２１】
以下、本発明の好適な実施形態について別紙図面を参照しつつ説明する。
【０１２２】
図１に、本発明の第１実施形態に係るコンポスト装置１０を示す。この図に示すように、本コンポスト装置１０は、複数個の容器セグメント１２ａ、１２ｂ及び１２ｃによって形成されたコンポスト容器１２を備えている。後に詳細に説明する通り、使用者は、使用する容器セグメントの個数（容器セグメント段数）を随意に決定することができ、また新たな段の容器セグメントの追加によってコンポスト容器１２に新たな容積を随時付け足すことができる。後に詳細に説明する通り、容器セグメント段数は一段でもよいが二段以上でコンポスト容器１２を構成した方がよいであろう。
【０１２３】
これらの容器セグメントはおおよそ円筒状の部材であり、それらを次から次へと積み上げることによって、コンポスト容器１２が形成されている。また、容器セグメントの周壁を連ねたものが、コンポスト容器１２の周壁になっている。容器セグメント同士の位置関係を固定する手法としては、ひとまとまりに積み上げた容器セグメントを鞘（シース）１４内に納め、その鞘１４によってそれらの容器セグメントを保持する、という手法を用いてもよいし、各容器セグメントに連結部材を設けて容器セグメント間を連結する、という手法を用いてもよい。連結部材としては、例えば各容器セグメントの壁部下端に小さな突起１５を、また各容器セグメントの壁部上端に窪み１７を設けるとよい。突起１５及び窪み１７の位置及び形状を合わせておけば、窪み１７に突起１５を嵌めることにより両容器セグメントを連結できる。
【０１２４】
更に、コンポスト容器１２内には基礎構造２０が配置されており、基礎構造２０は一段目（最下段）容器セグメント１２ａによって支えられている。連結部材として突起１５及び窪み１７を設ける場合は、各突起１５を対応する窪み１７に嵌めることができるよう、例えば、突起１５を通すための開口を基礎構造２０に設けるようにする。基礎構造２０の上部は開口２２となっており、基礎構造２０の下部にある床２４は、容器セグメント１２ｂを受け止めるための受け面２５と、その下に突出しており丸いお椀のように湾曲している椀状部２６とを、有している。椀状部２６には排出口２８が形成されており、この排出口２８の下側には滲出物室２９が設けられている。滲出物室２９は、床２４の椀状部２６に連なる円錐壁３０、並びにそれを終端する床３１を有している。床３１の下には、滲出物室２９及び基礎構造２０を支持する又はその助力になる支柱３４を設けるとよい。床３１に下向き突起３３を設け、またその下の支柱３４に突起３３が嵌る窪みを設けて、当該支持に役立ててもよい。更に、支柱３４の下端に、その支柱３４を地面に据えるためのカップ３５を設けるとよい。
【０１２５】
この滲出物室２９の上方には排出口カバー３６が設けられている。この排出口カバー３６には、堆肥化途上物Ｃからしみ出る滲出物が滲出物室２９内に入るように、複数個の滲出口３７が設けられている。滲出物室２９は排出管３７を有しており、その排出管３７は容器セグメント１２ａに設けられた壁面口３８を通って外に延びている。従って、随時、コンポスト容器１０外に受け容器３９を配置し、その中に滲出物を集めて肥料等として用い或いは廃棄することができる。
【０１２６】
更に、基礎構造２０内には滴状又はそれに類する形状の排出路形成材４０を入れてある。堆肥化したい廃棄物をコンポスト容器１２内に装填すると、その廃棄物は排出路形成材４０の上に載る。廃棄物の重みは基礎構造２０が受け止める。その堆肥原料の好気分解により生成された滲出物は、排出路形成材４０をしみ通り滲出口３７を通って滲出物室２９内に集まる。
【０１２７】
次に、二段目容器セグメント１２ｂは、前述の通り一段目容器セグメント１２ａと同じ構成であるが、その壁面口３８に通された通気管４２がＴ字カプラ４３に連結されている点で異なっている。Ｔ字カプラ４３の下部には支柱４４が、上部には通気器４６がそれぞれ嵌っている。支柱４４は排出口カバー３６上にあり、通気管４２及びＴ字カプラ４３を支持している。通気器４６は、コンポスト容器１２内に空気を供給しコンポスト容器１２内堆肥原料の好気分解を促進するため、１個又は複数個の（好ましくは複数個の）導気口４７を有している。即ち、コンポスト容器１２外の空気は、Ｔ字カプラ４３によって形成され通気管４２からＴ字カプラ４３を通り通気器４６に至る流路を介し、コンポスト容器１２内に入り込む。
【０１２８】
更に、本実施形態における通気器４６は直立管状であり、その上には蝟集防止キャップ４９が被されている。蝟集防止キャップ４９は、堆肥化途上物Ｃが通気器４６の周囲に蝟集して導気口４７からの空気導入を邪魔し、ひいてはコンポスト容器１２内堆肥原料乃至堆肥化途上物Ｃの適正な好気分解を妨げることを、防いでいる。蝟集防止キャップ４９は、例えば窪み５１を有する略円盤状のキャップとし、その窪み５１に通気器４６たる管の上端を嵌め込めるようにしておく。こうした構成の蝟集防止キャップ４９は通気器４６の脇まで傘のように張り出すこととなるので、通気器４６周辺で生成された堆肥が通気器４６に蝟集することを好適に防ぐことができ、従って、通気器４６を介しコンポスト容器１２内堆肥原料乃至堆肥化途上物Ｃに至る空気流路を確保して適正な好気分解を促進することができる。
【０１２９】
また、通気管４２の下面に導気口５２を設けてもよい。通気管４２の下面は比較的堆肥化途上物Ｃが蝟集しにくい場所であるので、この場所に導気口５２を設ければ、当該導気口５２を介しコンポスト容器１２内に空気が入る。入った空気は、通気管４２の下方に拡散し濾過用の排出路形成材４０中を一旦下降した後、図１中の堆肥化途上物Ｃ中を上昇していく。
【０１３０】
更に、一段目容器セグメント１２ａにおいては、基礎構造２０より上方の空間と、基礎構造２０より下方の空間５８とが、基礎構造２０によって効果的に分離されている。従って、通気管４２を介しコンポスト容器１２内に入った空気は全て、通気器４６を通りコンポスト容器１２内に導入されることとなる。また、壁面口３８が地面より高い位置にあるため、コンポスト容器１２の一番下に壁面口を設けて外気を取り込んだ場合に比べ、僅かではあれ暖かいゾーンから外気を取り込むことができる。これは、とりわけ寒天下で好気分解を進めるのに役に立つ。
【０１３１】
また、容器セグメント１２ａ及び１２ｂによって組み上げたコンポスト容器１２が満杯に近くなったら、別の容器セグメント例えば１２ｃを二段目容器セグメント１２ｂの上に追加すればよい。その際には、通気器４６から蝟集防止キャップ４９を取り外して別のＴ字カプラをつなぎ、そのＴ字カプラの上側の窪みに新たな通気器を嵌め込み、その新たな通気器の上に蝟集防止キャップ４９を被せるようにする。通気管４２については、二段目容器セグメント１２ｂから引き抜いて三段目容器セグメント１２ｃの壁面口に通し、位置を合わせて新たなＴ字カプラに連結するようにしてもよいし、二段目容器セグメント１２ｂ側に古い通気管４２を残したまま三段目容器セグメント１２ｃに新たな通気管を組み込むようにしてもよい。
【０１３２】
こうして三段目容器セグメント１２ｃを追加することでコンポスト容器１２の容積が増えるため、コンポスト容器１２内に新たな堆肥原料を追加し、それを好気分解させることができる。四段目以降の容器セグメント及び通気器の追加も、同じ要領で随時行うことができる。
【０１３３】
そして、コンポスト容器１２の最上段容器セグメントは蓋６０によって閉蓋する。蓋６０は、断熱性素材によって形成し、最上段容器セグメント上に被せるだけにするのが望ましい。この蓋６０には、コンポスト容器１２内のガスを逃がす脱気口６１を設けることができる。脱気口６１を設けることによって、臭気を減らすと共にそのガスを燃焼に供することができる。更に、必要ならガス収集袋６２を設けてガスを収集することもできる。また、管状の通気器４６及びその蝟集防止キャップ４９を、自然分解する素材によって形成しておけば、時間経過によって自動的にそれらを瓦解（ブレークダウン）させることができる。更に、図７に示す堆肥化促進器８０を堆肥化途上物Ｃ中に投入して堆肥化を促進することもできる。即ち、この堆肥化促進器８０には空洞部８２が設けられているので、これを何個か投入することで堆肥化途上物Ｃ中に気泡群を配置することができ、それによって好気分解を更に進めることができる。すりつぶした卵殻等の肥料をこの堆肥化促進器８０に付加混入させておけば、細菌の活動も強まる。更に、堆肥化途上物Ｃ中の瓦解させづらい物体例えば肉片を瓦解させる能力のある細菌を、培養及び乾燥粉末化して堆肥化促進器８０に添加しておくことによって、狙った種類の物体を好適に瓦解させることができる。
【０１３４】
図２に二段目容器セグメント１２ｂを例として示すように、各容器セグメント１２ａ、１２ｂ及び１２ｃは、例えば複数個のセグメント壁１２ｂ’、１２ｂ’’及び１２ｂ’’’によって構成する。これらのセグメント壁１２ｂ’、１２ｂ’’及び１２ｂ’’’同士の連結は、例えば連結するセグメント壁のうち一方に連結用の突起８５を設け、他方にその突起８５に相応する形状の溝８８を設けることによって行う。
【０１３５】
また、堆肥化促進器８０のうち何個かは、同図に示すように細い通気管８６とつなぎ、通気器４６からその堆肥化促進器８０へと空気を送り込めるようにするとよい。
【０１３６】
更に、本発明を実施するに当たっては、容器セグメント群を筒状の鞘１４に差し込むのに代えて、シート状の鞘１４を容器セグメント群に巻き付け、Ｖｅｌｃｒｏ（登録商標）等の適切な留め具８９によって端部をつなぐようにしてもよい。
【０１３７】
図３〜図６に本発明の第２実施形態を示す。本実施形態の構成は第１実施形態とほぼ同じであるが、容器セグメント１２ａ、１２ｂ及び１２ｃの形態に違いがある。図４に示すように、一段目容器セグメント１２ａのうち周壁を形成する部分は、一段目外被１０２から境界部１０５を介して二段目外被１０３に連なる構造を有している。また、二段目外被１０３は一段目外被１０２より内側に引っ込んでおり、境界部１０５は緩やかに傾斜している。
【０１３８】
従って、一段目容器セグメント１２ａの二段目外被１０３が二段目容器セグメント１２ｂの一段目外被１０２によって覆われるよう、一段目容器セグメント１２ａ上に二段目容器セグメント１２ｂを載せることによって、両容器セグメント１２ａ及び１２ｂを効果的に連結乃至締結することができる。その際、一段目外被最下部１０７は僅かに拡がっているので一段目容器セグメント１２ａの一段目外被１０２と境界部１０５の境目にある膨らみ１０９に二段目容器セグメント１２ｂの一段目外被最下部１０７を係止することができ、二段目外被最上部１１０は僅かにすぼんでいるので二段目容器セグメント１２ｂの境界部１０５と二段目外被１０３の境目にある膨らみ１１１を一段目容器セグメント１２ａの二段目外被最上部１１０で受け止めることができる。
【０１３９】
なお、本実施形態における容器セグメントはそれぞれ単体の円筒であり、第１実施形態のように３個のセグメント壁をつないで形成したものではない。
【０１４０】
また、下端外被１１２は必要に応じ設ければよい。下端外被１１２は容器セグメント１２ａ、１２ｂ及び１２ｃの膨らみ１０９から二段目外被最上部１１０までの部分と実質的に同じ形状であるので、隣り合っている外被即ち一段目容器セグメント１２ａの一段目外被１０２をこの下端外被１１２上に据えることができる。
【０１４１】
更に、図４に示した要領に従い容器セグメント群からコンポスト容器１２を組み立てると、外被と外被の間に隙間１１５ができる。この隙間１１５の中にはポリスチレン等から形成された断熱材片９０を詰め込むことができる。
【０１４２】
また、図５に示すように、コンポスト容器上端は上端外被１２０によって終端する。この上端外被１２０は、大まかには各容器セグメントの一段目外被最下部１０７から膨らみ１１０までの部分と同じ形状であり、最上段容器セグメント１２ｃの二段目外被１０３に寄り添うように据える。上端外被１２０と最上段容器セグメント１２ｃの二段目外被１０３との間に生じる隙間１１５にも、断熱材片９０を詰め込むとよい。
【０１４３】
本実施形態はとりわけ気候寒冷域で有用である。その理由は、第１及び第２実施形態の何れにおいてもコンポスト容器１２が断熱されており、そのコンポスト装置１０が寒冷環境で使用されているときでもコンポスト装置１０内部で必要な熱を保てることにある。即ち、図１に示した第１実施形態においては、容器セグメントを断熱構造乃至断熱素材にすることができ、また図３及び図４に示した第２実施形態では、前述の通り容器セグメント同士の重なり部分に生じる隙間１１５に断熱材片９０を詰め込むことができるため、良好な断熱性が得られる。
【０１４４】
更に、複数個の容器セグメントからコンポスト容器１２を組み立てるようにしているため、容器セグメント使用個数を抑えることでコンポスト容器１２内の堆肥化途上物上方空間を狭くすることができる。堆肥化途上物上方空間が狭ければ、広い場合に比べ、堆肥化途上物発生熱の上方空間加熱による損失が少なくなる。堆肥膨張時や堆肥原料追加時には、前述の通り、別の容器セグメントを上に積んでコンポスト容器１２の容積を増せばよい。このようにすることで、堆肥化途上物上方空間を小さく抑えその空間による熱損失を最小限に抑えることができる。
【０１４５】
更に、ガスを逃がすため蓋６０に設けた脱気口６１に荷重圧弁を設ければ、急激に空気が抜けることがなくなり従って熱損失も少なくなる。
【０１４６】
本発明を実施するに当たっては、更に、通気管４２を介し通気器４６に空気を供給するのに代え又はこれと共に、滲出物を排出するための排出管３７を通気管として用い、これを介しコンポスト容器１２内に空気を導入することもできる。即ち、コンポスト容器１２外の空気を排出管３７を介し滲出物室２９内に入れることもできる。滲出物室２９内の空気は排出路形成材４０の隙間をかいくぐって上昇する。支柱４４を中空とし、その支柱４４の中空部及びＴ字カプラ４３を通して通気器４６に空気を送ることもできる。
【０１４７】
図８に、本発明の第３実施形態に係るコンポスト装置を示す。この図においては、図４に示した第２実施形態の構成部材と同様の部材に同一の参照符号を付してある。第２実施形態と同じく本実施形態においても、複数個の容器セグメントを組み合わせてコンポスト容器側壁を形成する手法を採っているため、容器セグメント段数増減でコンポスト容器高さ寸法を変化させることができる。各容器セグメントの構成は第２実施形態におけるそれと概ね同様であるが、境界部におけるストレートさが増した形状である点で異なっている。即ち、下の段の容器セグメントの二段目外被１０３だけでなくその段の境界部１０５も、上の段の一段目外被１０２の内側に入り込んでいる。各境界部１０５のすぐ上に設けられているリップ状の棚状張出２１０は、一段目外被１０２と二段目外被１０３の隙間に湿気及び水分が入り込むことを防いでいる。前掲実施形態と同じく最下段容器セグメント１２ａは下端外被１１２によって終端されており、下端外被１１２には棚状張出２１０と同様の機能の棚状張出１１３が設けられている。上端外被１２０の機能は前掲実施形態における上端外被１２０と同様である。
【０１４８】
本実施形態における容器セグメント１２ａ等々はそれぞれ一品で完結した円筒ではなく、三部分に分かれている。即ち、先に図２を参照して説明したように、それら三部品をつないで円筒状の容器セグメント１２ａ等々を形成するようにしている。なお、先に示した各実施形態でも同様であるが、容器セグメントを円筒状にする必要はなく、角筒状、卵（楕円）筒等、他種形状にすることもできる。
【０１４９】
本実施形態における基礎構造は、側壁２４１及び床２４２を有する収集桶２４０として構成されている。側壁２４１には通気管２４３が通っており、この通気管２４３は滲出物室２９に連通している。本実施形態における滲出物室２９は底部開口２４４を有しており、滲出物は滲出物室２９から排出され収集桶２４０内に溜まっていく。収集桶２４０には短い排出管２４７が設けられており、収集桶２４０内に溜まった滲出物はこの排出管２４７から排出されるので、外部で滲出物を収集することができる。
【０１５０】
本実施形態においては、椀状部２６に更に複数個の開口を設け、水分が椀状部２６を通り収集桶２４０内に速やかに排出されるようにすることもできる。
【０１５１】
本実施形態における通気器４６は先に示した各実施形態と同様の構成であるので、ここでは模式的に示してある。また、先に示した各実施形態と同じく、本実施形態における通気器４６にも蝟集防止キャップ４９が被せられている。
【０１５２】
椀状部２６及び排出口カバー３６は例えば透水性マット１７５によって覆うようにする。本実施形態では、透水性マット１７５は椀状部２６及び排出口カバー３６全体を完全に覆っている。この透水性マット１７５はプラスチック繊維又はココヤシ繊維等の有機繊維素材によって形成するのが望ましい。透水性マット１７５は、堆肥化途上物から収集桶２４０内に排出される水分に対し、生物利用濾過器として機能する。即ち、こうした透水性マット１７５上では微生物が生息できるので、透水性マット１７５を介して排水することにより、収集桶２４０に行き着く前にその水分を透水性マット１７５上の微生物によって浄化することができる。
【０１５３】
透水性マット１７５の厚みは随意に決めることができる。必要なら、コンポスト容器内の堆肥の嵩が増すにつれて、コンポスト容器内に入れる透水性マット１７５の枚数を増やすこともできる。
【０１５４】
本実施形態の変形例としては、通気管２４３を滲出物室２９に連通させるのではなく、図１に示した第１実施形態と同じく中空の支柱４４に連通させる構成があろう。この構成は、気候が寒冷な場合に有益である。それは、通気管２４３内を通る空気がコンポスト容器内の暖かい堆肥化途上物によって暖められやすく、通気器４６内を通り堆肥化途上物に供給されるこの暖まった空気によって、好気分解が促進されるからである。
【０１５５】
その変形例に対する更なる変形の例としては、通気管２４３をより細い複数本の管に分岐させ、それらの細い管を中空の支柱４４につなぐ構成があろう。そのようにすると吸気部実質表面積が増すため、コンポスト容器内に放出される前にその空気に対し堆肥化途上物から伝達される熱量も増すこととなる。
【０１５６】
また、本実施形態における蓋６０は先に示した各実施形態と同様の単なる断熱タイプの蓋としてもよいし、或いは図示のように蓋６０の裏面２８２の中央に孔２８０を設け、蓋６０の外面２８５と裏面２８２の間に室２８３を設けてその中に断熱材２８１の層を形成するようにしてもよい。断熱材２８１によって蓋裏面２８２は割合暖かく保たれ、コンポスト容器内部空間と同じ温度になる一方、断熱材２８１より上の空間及び蓋外面２８５ははコンポスト容器内部空間より低温になる。排出口２８０を通って立ち上ってきた蒸気はこの低温領域に入り、低温の蓋外面２８５と接触して凝縮し、湿気となって蓋外面２８５の排出口２８７から排出される。この水分は外部で収集できる。
【０１５７】
本実施形態においては、更に、上端外被１２０の上端面に細い溝を設け、それを利用して蓋６０を被せるようにすることもできる。更に、この溝の中に水を溜めれば蓋６０を取り巻く封止水路となり、ひいては断熱物室２８３及びコンポスト容器の外気に対する封止が更に強固になる。
【０１５８】
本実施形態においては、周壁を構成するパネル状外被とパネル状外被の間に生まれる隙間に、先の各実施形態と同じく断熱材が詰め込まれている。棚状張出２１０は、この隙間の中に水分が侵入することを防ぐだけでなく、容器セグメント同士乃至外被同士を連結する際の位置決め手段としても機能させることができる。この位置決めを通じ、それらの容器セグメントの封止をより強固にし、またコンポスト容器の強度をより高めることができる。
【０１５９】
また、水分用の排出管２４７が収集桶２４０の床２４２よりかなり上方に配置されているため、桶２４０内の物質を沈殿させその上澄み即ち割合清浄な水分を排出管２４７から排出させることができる。必要なら、排出管２４７からの排水を更に濾過し、病原体が除去された浄化水を得ることもできる。更に、本実施形態を変形し、収集桶２４０内に浄化水貯留部を形成するようにしてもよい。その場合、浄化水貯留部を形成する領域と、収集桶２４０内の他の領域との間に濾過器を配置し、収集桶２４０内の他の領域から浄化水貯留部内に入る液体をその通過途中にある濾過器によって濾過するようにする。
【０１６０】
そして、基礎構造の椀状部２６に複数個の孔を設けてガスが上昇できるようにし、コンポスト容器内の堆肥原料を生物利用濾過器として機能させることもできる。即ち、本装置の下部にある収集桶２４０内の液体から発生した臭気が漏れ出すことを、コンポスト容器内の堆肥及びその原料による上昇ガス浄化効果により、防ぐことができる。
【０１６１】
また、本実施形態を変形し、実質的に滲出物室なしのコンポスト装置にすることもできる。例えば、収集桶２４０の床２４２を廃止したコンポスト装置を、その側壁２４１が地面に直に接するように地面上に据えるようにすれば、滲出物室２９からの滲出物を底部開口２４４を介し地面に直に排出することができる。
【０１６２】
また、本実施形態における蓋６０を凝縮物を収集できない単純な蓋に変形してもよい。例えば、蓋孔２８０を廃止して蓋６０の全体を断熱材によって形成するとよい。或いは、断熱材２８１の層を蓋裏面２８２の下面に設けてもよい。更に或いは、断熱材２８１の層を蓋外面２８５の下面だけに設けてもよい。但し、その場合は、蓋６０の断熱物室２８３内が暖かめになるので、得られる凝縮物の量はかなり少なくなるであろう。
【０１６３】
そして、以上説明した本発明の好適な実施形態においては、周壁を構成する容器セグメントの個数が３個の例を示したが、２個としてもよいし４個以上としてもよい。更に、各容器セグメントを構成するセグメント壁の個数が３個の例を示したが、２個としてもよいし４個以上としてもよい。
【０１６４】
図９〜図１１に、本発明の第４実施形態に係るコンポスト装置を示す。本実施形態は前述の各実施形態及びその変形例の何れとも併用できるが、恐らくは、図８に示した第３実施形態に係るコンポスト装置を正方形又は長方形断面にしたものと併用するのが最もよいであろう。なお、第３実施形態の構成部材と同様の部材には同一の参照符号を付すこととする。
【０１６５】
本実施形態においては、一段目容器セグメント１２ａに方形のプラグ収容口３００が設けられており、そのプラグ収容口３００がプラグ３０２によって閉止されている。また、本実施形態における通気管２４３は先に示した実施形態と同じく収集桶２４０内を走っているが、先に示した実施形態と違いＵ字コーナ２４３ａを有しており、そのＵ字コーナ２４３ａによって通気器の管４４と直結されている。そのため、先に示した各実施形態のように収集桶２４０内に空気を届けるに留まらず、通気器の管４４にも直に空気を届けることができる。また、収集桶２４０の床２４２は、図１１にも示すように、先に示した実施形態とは異なる形状である。
【０１６６】
図１０及び図１１から好適に読み取れるように、プラグ３０２は、前面パネル３０３、床３０７、内壁３０８、天井３０９、第１傾斜壁３１０及び第２傾斜壁３１１を備えており、それらにより画定された断熱物室３０５内に断熱材３０４が入れられている。概略、断熱物室３０５の一部は断熱材３０４が入る第１房３１３となっており、他の一部は気流方向決定器室たる第２房３１５となっている。また、プラグ３０２内特に第１房３１３内に断熱材３０４を容易且つ迅速に入れられるようにするため、プラグ３０２は、その前面パネル３０３を取り外せるように構成されている。但し、前面パネル３０３をプラグ３０２の残りの部分と一体に形成してもよい。更に、傾斜壁３１０及び３１１にはテーパが付されていて、第２房３１５は先窄まりになっている。第２房３１５の先端にある境目３１２即ち第１傾斜壁３１０と第２傾斜壁３１１の境目３１２は丸みを帯びている。
【０１６７】
断熱材３０４は、その本来の機能である断熱機能だけでなく、吸気口３１６から入り第２房３１５内に向かう空気を濾過する濾過器としての機能も有している。
【０１６８】
前面パネル３０３には、更に複数個の吸気口３１６が設けられている。この吸気口３１６の下側には、更に、重いガス及び水分を排出するための排出口３１７が１個又は複数個設けられている。
【０１６９】
更に、第２傾斜壁３１１には複数個の導気口３２０が設けられている。プラグ３０２内の空気は、この導気口３２０を介し、外被１０２及び１１２によって形成される周壁から奥まった位置で、堆肥化途上物中に脱出していく。
【０１７０】
また、図１１から明らかなように、本コンポスト装置を地面上に水平に設置した状態では、導気口３２０の位置が吸気口３１６の位置より僅かに高い位置になる。
【０１７１】
更に、通気器の管４４には導気口３２７が設けられている。その位置は、蝟集防止キャップ４９より僅かに低い位置である。
【０１７２】
前面パネル３０３は例えばクリップとして構成され、プラグ３０２の残りの部分に嵌められている。こうしたプラグ３０２に断熱材３０４を入れる際には、まず前面パネル３０３を開け、その後断熱材３０４を所定位置に入れ、そして前面パネル３０３を元通りの位置に嵌め込めばよい。また、プラグ３０２の両端は、それぞれカバープレート３４０（図１１参照）によって閉止されている。
【０１７３】
プラグ３０２が所定位置に装着されている状態では、吸気口３１６から空気が入って断熱物室３０５内に流れ込む。この気流は、例えば、矢印Ａで示されているように、オープンセルフォームからなる多孔質の断熱材３０４を通り、大略容器セグメント１２ａによって形成されている堆肥化室３０１内に導気口３２０から放出され、その堆肥化室３０１内の堆肥化途上物Ｃにたどり着く。導気口３２０は、第２傾斜壁３１１即ち下側の壁に形成されているため、堆肥化途上物Ｃがすぐ近くに迫って塞がれてしまうことがない。更に、この導気口３２０につながる第２房３１５は、コンポスト容器周壁のうち容器セグメント１２ａによって形成されている部分の内表面から堆肥化室３０１の奥に向かって張り出しているので、導気口３２０を介した堆肥化途上物Ｃ中への空気放出は堆肥化途上物Ｃ中の奥まった場所で生じ、更にその空気はその位置から堆肥化途上物Ｃ中を通って上昇していくことになる。このような仕組みとすることで、下端外被１１２沿いの空間即ちコンポスト容器周壁と堆肥化途上物Ｃの隙間を空気がまっすぐ上昇してしまい堆肥化途上物Ｃ中を通らなくなる「煙突」効果を、幾分抑えることができる。
【０１７４】
また、本実施形態では第１傾斜壁３１０上に堆肥化途上物Ｃが蝟集する。この場所に堆肥化途上物Ｃがあると、下端外被１１２を含む周壁の内面に沿って空気が上昇するのに邪魔になり、堆肥化途上物Ｃ中の奥まった場所を上昇するように空気が追いやられるので、その気流によって堆肥化途上物Ｃの好気分解が更に促進されることになる。
【０１７５】
更に、導気口３２０が吸気口３１６より高い位置にあるので、空気より軽いガスもまた、堆肥化途上物Ｃ中を上昇していくことになる。堆肥化途上物Ｃ中では堆肥バイオマス（生物資源）によりそのガスがある程度浄化される分、臭気も減少する。また、吸気口３１６から臭気ガスが漏れ出すこともない。
【０１７６】
また、断熱材３０４がオープンセルフォーム状であれば、プラグ３０２内における空気乱流の発生が妨げられ、吸気口３１６を介した軽量ガスの漏出もやはり妨げられる。断熱材３０４は、更に、吸気口３１６及び排出口３１７から堆肥化途上物Ｃ中に虫が入ることを防いでいる。
【０１７７】
排出口３１７からは、内壁３０８に沿って堆肥化室３０１の底に溜まった二酸化炭素が逃げるので、二酸化炭素が堆肥化室３０１の底に溜まること、ひいては導気口３２０を介した堆肥化途上物Ｃ中への空気流入がその二酸化炭素により妨げられることもない。排出口３１７からは、プラグ３０２内で凝縮した水分も、プラグ３０２外に排出できる。
【０１７８】
プラグ３０２は、コンポスト装置の高さ方向に沿って何個でも設けることができる。例えば先に示した各実施形態のようにコンポスト装置を複数個の容器セグメント１２ａ、１２ｂ及び１２ｃによって構成する場合、各容器セグメントにプラグ３０２を設ければ、コンポスト容器の高さ方向に沿って複数個のプラグ３０２が配置されることになる。また、そのコンポスト装置に容器セグメントを追加してコンポスト容器容積を増すたびに、プラグ３０２の個数が増えることになる。
【０１７９】
こうしたプラグ３０２を設ける場合は、通気器の管４４を設けてもよいし設けなくてもよい。また、プラグ３０２を大きくすること、とりわけ堆肥化途上物Ｃ中への傾斜壁３１０及び３１１の突出長を長くすることにより、下端外被１１２からどれだけ内側に導気口３２０を配置するかを所望の通りに設定することができる。
【０１８０】
また、コンポスト装置から一ユニットであるプラグ３０２を取り外すとプラグ収容口３００が開くので、そこから内部の堆肥化した物質を取り出すことができる。堆肥を取り出した後、プラグ３０２を元と同じ位置及び姿勢で再挿入すれば、コンポスト装置内に次の堆肥原料を装填し堆肥化を開始させることができる。
【０１８１】
また、本実施形態を変形し、断熱物室３０５内の第１房３１３と第２房３１５とを、天井３０９から下に延ばした隔壁３６０によって区画するようにしてもよい。この変形例においては、断熱物室３０５内における第２房３１５内への空気の流れ方が、隔壁３６０の下縁３６１の下方を気流が通り、隔壁下縁３６１より高い位置にある導気口３２０へと空気が流れるような、流れ方になる。このような隔壁３６０を設ければ、その隔壁３６０が邪魔になり、空気より軽いガスが第２房３１５から吸気口３１６を通り外気に流れ出すことが少なくなるので、第１傾斜壁３１０の傾きをなくし天井３０９に連なる横壁（天井）にすることができる。
【０１８２】
第１傾斜壁３１０をこうして横壁化すれば（或いは更に第２傾斜壁３１１も横壁化すれば）、図１１に示した壁傾斜型の構成に比べプラグ収容口３００からプラグ３０２を容易に取り外せるようになる。即ち、図１０及び図１１に示した構成では、壁３１０（及び３１１）が傾斜しているため、僅かではあるがプラグ３０２をよじらないと傾斜壁３１０（及び３１１）がプラグ収容口３００に引っかかり、プラグ３０２を取り外すことができない。これに対して、壁３１０（及び３１１）を横壁化した変形例では、真横に引き出すだけで、プラグ３０２をプラグ収容口３００から取り外すことができる。
【０１８３】
図１２に、本発明の第５実施形態に係るコンポスト装置を示す。図中、前述の部材と同様の部材には同一の参照符号を付してある。本実施形態においては、プラグ４００がブロック状の断熱材４１０によって構成されている。図示していないが、この断熱材４１０には随意にプラスチック製の掩蔽カバーを被せることができる。更に、断熱材４１０内には傾斜管４０１が通っている。傾斜管４０１の両端のうち外側にある端４０５は開通しており、内側にある端４０７は閉じている。更に、傾斜管４０１の下面、閉鎖端４０７の近傍には導気口４０６が設けられている。従って、開放端４０５から入った空気は傾斜管４０１内を通って導気口４０６から出ることになる。また、導気口４０６を設ける位置が傾斜管４０１の下面であるため、堆肥化室３０１内の堆肥化途上物によって導気口４０６が塞がれることもない。
【０１８４】
傾斜管４０１の下方には、概ね水平な管４０２が配置されている。この水平管４０２の両端は共に開放端であり、堆肥化室３０１の底に溜まった二酸化炭素は、この水平管４０２を介して排出される。また、管４０１及び４０２に装着されているガーゼ式濾過器４０３及び４０４は、堆肥化室３０１内に虫が入り込むことを防ぐためのものである。プラグ４００は例えば図１１に示したプラグ３０２と同じサイズにすることができる。更に、その開放端４０５及び導気口４０６の機能は図１１に示した吸気口３１６及び導気口３２０の機能と同じである。更に、必要なら各プラグ４００に複数本の傾斜管４０１を設けてもよい。そして、水平管４０２の両開放端の機能は、図１１に示した排出口３１７の機能と同じである。
【０１８５】
図１３〜図４０に、本発明の第６実施形態に係るコンポスト装置を示す。図１３にその斜視外観を示すように、本実施形態に係るコンポスト装置５００は、基礎構造５０１、蓋５０２並びに２個の容器セグメント５０３及び５０４を備えている。そのうち一段目容器セグメント５０３は、三面壁である第１壁５０５及び第２壁５０６並びに平板壁である第３壁５０７及び第４壁から構成されている。後により詳細に説明するように、互いに向かい合っている第３壁５０７及び第４壁には、それぞれ、プラグが一体に設けられている。一段目容器セグメント５０３は、こうした４個のセグメント壁５０５、５０６、５０７及び５０８から成り立っている。
【０１８６】
また、二段目容器セグメント５０４は、三面壁である第１壁５１０及び第２壁５１２並びに平板壁である第３壁５０９及び第２壁５１１から構成されており、第２壁５１２は第１壁５１０と向かい合っている。即ち、二段目容器セグメント５０４はこれら４個のセグメント壁５０９、５１０、５１１及び５１２から成り立っている。
【０１８７】
上の説明から明らかな通り、一段目容器セグメント５０３における三面壁平板壁位置関係と、二段目容器セグメント５０４における三面壁平板壁位置関係は互い違いになっていて、一段目容器セグメント５０３における三面壁位置と二段目容器セグメント５０４における三面壁位置は食い違っている。例えば、一段目容器セグメント５０３の三面第１壁５０５は二段目容器セグメント５０４の平板第３壁５０９の下にある。即ち、三面壁平板壁位置関係に関しては、二段目容器セグメント５０４はほぼ、一段目容器セグメント５０３を９０°回転させたものになっている。
【０１８８】
図１４はコンポスト装置５００の分解図である。この図においては、一段目容器セグメント５０３の三面第１壁５０５及び平板第３壁５０７、並びに二段目容器セグメント５０４の三面第１壁５１０を省略してある。
【０１８９】
この図に示す通り、基礎構造５０１は周壁５１３及び天井５１４を有しており、基礎構造天井５１４は支柱５１５によって貫かれており、そして基礎構造周壁５１３には切欠５１６及び吸気口５１７が設けられている。
【０１９０】
支柱５１５には一段目通気管５２０が差し込まれており、この一段目通気管５２０によって一段目通気器５２１が支持されている。おおよそ円錐状の一段目通気器５２１については後により詳細に説明する。また、一段目通気器５２１上には二段目通気管５２２が配置されており、この二段目通気管５２２によって二段目通気器５２３が支持されている。二段目通気器５２３は一段目通気器５２１と同じ形状である。
【０１９１】
図１５に示すように、一段目通気器５２１はほぼ円錐状の壁５２５を有しており、この円錐壁５２５の下縁には複数個の切欠５２６が形成されている。円錐壁５２５には複数枚の外羽根５２７が設けられており、それらの外羽根５２７の外縁５２８は、一段目通気器５２１の上端５２９ａのすぐ手前まで、円錐壁５２５に対してほぼ平行になっている。一段目通気器５２１の上端５２９ａにおいては、これらの外羽根５２７が、その外縁５３０がほぼ上下に延びた（従ってもはや円錐壁５２５に対して平行ではない）縦鰭５３１ａに変態しており、それらの縦鰭５３１ａによってほぼ円筒状のスタッド５３１が形成されている。このスタッド５３１は円錐壁５２５の上端５３２より上まで延びており、円錐壁５２５の上端５３２はほぼ平坦な天井５３３によって閉止されている。
【０１９２】
図１６に最もよく表されているように、円錐壁５２５の内面にも複数枚の羽根５３４が設けられている。この内羽根５３４の位置は対応する外羽根５２７の位置に合わせてある。
【０１９３】
外羽根５２７の外縁５２８と縦鰭５３１ａの外縁５３０の境目の部分には横縁５２９が形成されている。図１５に示した通り、この横縁５２９はほぼ真横に延びている。
【０１９４】
図１６に最もよく表されているように、内羽根５３４の縦縁５３５はほぼまっすぐ上下に延びており、その先には横縁５３８が形成されている。その横縁５３８の上には、縦縁５３５に対してほぼ平行に、別の縦縁５３９が延びている。横縁５３８は、一段目通気管５２０上に一段目通気器５２１を載せる際に一段目通気器５２１に載る部分である。
【０１９５】
スタッド５３１上には、図１８に示すように二段目通気管５２２を嵌める。その際、二段目通気管５２２は、外羽根５２７の外縁５２８と縦鰭５３１ａの外縁５３０の間に形成されている横縁５２９の上に、着座する。
【０１９６】
図１９及び図２０に示すように、基礎構造５０１の天井５１４の下面には一対の肋状突起５４０（図２０参照）が設けられており、それらによって形成される中央流路５４１が吸気口５１７から支柱５１５へと延びている。
【０１９７】
また、滲出物室５４５は図２１及び図２２に示すように細長い六角形であり、排出口５４７及び導入口５４８を有している。この導入口５４８とほぼ円形の開口５５０との間には、流路５４９が設けられている。
【０１９８】
図２３に示すように、滲出物室５４５は、基礎構造天井５１４下でその円形口５５０が支柱５１５の一部と重なるように、またその排出口５４７が基礎構造５０１の基礎構造周壁５１３に設けられた切欠５１６内に位置することとなるように、基礎構造５０１上に配置される。
【０１９９】
滲出物室５４５は、基礎構造天井５１４が滲出物室５４５の天井になるよう、図示しないが枠５４５ｂ上の孔５４５ａ内に位置するクリップにより、基礎構造５０１上に固定されている。
【０２００】
基礎構造５０１には複数個の補強隆起５５１が設けられている。それらの補強隆起５５１には複数個のスロット５５２が形成されており、それらのスロット５５２は滲出物室５４５内への液体流入口になっている。基礎構造５０１の下側には、構造強度を確保向上させるため、更に複数個の補強肋状突起５５３が設けられている。
【０２０１】
従って、堆肥原料をコンポスト装置５００内で分解させると、堆肥化途上物からしみ出る湿気がスロット５５２を介して滲出物室５４５内に導かれ、更にその排出口５４７から外部に排出されることになる。なお、排出口５４７には、図示しないホースを随時つなぐことができるよう、図示しないホース栓を嵌めておくとよい。
【０２０２】
これと並行するように、吸気口５１７から空気が入り、肋状突起５４０と肋状突起５４０の間を通って支柱５１５に達し、更に支柱５１５及び一段目通気管５２０内を上昇して一段目通気器５２１内に達する。また、基礎構造５０１下の流路５４９を通って入る空気は、円形口５５０から支柱５１５更には一段目通気管５２０に入り、そこから同じく一段目通気器５２１に流れ込む。これら、一段目通気器５２１に流れ込んだ空気は、そこから内羽根５３４と内羽根５３４の間を通って下向きに流れ出す。この気流は内羽根５３４によって方向規制されつつ下方に流れていき、一段目通気器５２１の下縁とりわけ切欠５２６に達すると、一段目通気器５２１から流れ出して堆肥化途上物中を上昇し始める。
【０２０３】
外羽根５２７は、この上昇気流を導くと共に蝟集防止装置としても動作する。即ち、一段目通気器５２１の周囲に堆肥化途上物が蝟集し上昇気流を妨げることを防ぐ蝟集防止装置として、作動する。こうして外羽根５２７によって円錐壁５２５上への堆肥化途上物の蝟集が防止されるため、円錐壁５２５沿いに空気を流し外羽根５２７と外羽根５２７の間を上昇させることができるだけでなく、一段目通気器５２１を取り巻く堆肥化途上物中に空気を供給することもできる。
【０２０４】
円錐壁５２５に沿って流れ外羽根５２７と外羽根５２７の間を上昇していった空気のうち一部は、図１８中に一群の矢印で示したように、縦鰭５３１ａと縦鰭５３１ａの間を通り二段目通気管５２２の下端から二段目通気管５２２内に入っていく。即ち、二段目通気管５２２はその下端が一段目通気器５２１の横縁５２９上に座し、一段目通気器５２１の外羽根５２７と外羽根５２７の隙間に連通しているので、空気の一部が一段目通気器５２１の縦鰭５３１ａと縦鰭５３１ａの隙間を通って上方に流れうる。
【０２０５】
具体的には、図１８に示すように、気流はまず矢印Ａに沿って一段目通気管５２０内を上昇していき、一段目通気管５２０の上端に達すると円錐壁５２５によって形成される内部室６８０内に入り、矢印Ｂで示すように一段目通気器５２１の内面に沿って下降し、更に矢印Ｃで示すように一段目通気器５２１の外面にある外羽根５２７と外羽根５２７の間を上昇し（ここで一部の空気は堆肥化途上物にしみ込んでいき）、次いで矢印Ｄで示すように縦鰭５３１ａと縦鰭５３１ａの間を通って横縁５２９から二段目通気管５２２内に入り、そして矢印Ｅで示すように二段目通気管５２２内を上昇して二段目通気器５２３に向かっていく。二段目通気器５２３上の外羽根５２７も同じく二段目通気器５２３近傍への堆肥化途上物の蝟集を妨げるので、当該蝟集により二段目通気器５２３から堆肥化途上物中への気流入が妨げられることもない。
【０２０６】
図２４〜図３０に平板壁５０９及び５１１の構成を示す。これらの平板壁５０９及び５１１は先の説明から明らかなように同一の構造である。平板壁５０９及び５１１は外側外被５５０及び内側外被５５１を有しており、図２５に最もよく表されているように、内側外被５５１には複数個の肋状突起５５２が内向きに突設されている。また、略皿状の外側外被５５０には断熱ブロック５５３が嵌め込まれている。外側外被５５０の上部フランジ５５４には、内側外被５５１に設けられている複数本のピン５５８を差し込めるよう、複数個のボス５５５が設けられている。ピン５５８は概ね可撓性であるので、それをボス５５５内に差し込むことにより外側外被５５０と内側外被５５１を連結することができる。また、図２９に示すように内側外被５５１も略皿状であり、内側外被５５１に設けられている複数本のピン５６１を差し込める複数個のボス５６０を備えている。図２８に示したのは外側外被５５０からパッド状の断熱ブロック５５３を取り外した状態である。
【０２０７】
コンポスト装置５００内の堆肥化途上物が収縮するとそれによって空間が生まれる。その空間を通り平板壁５０９及び５１１の内面沿いに上昇気流が生じる可能性があるが、本実施形態では肋状突起５５２を内方突出させてあるため、平板壁５０９及び５１１の内面に沿って直接気流が上昇することを妨げることができる。即ち、肋状突起５５２が突出していることにより気流は平板壁５０９及び５１１の内面及びその近辺から離れる方向に追いやられ、堆肥化途上物中に向かう方向に差し向けられる。
【０２０８】
図示したように、コンポスト装置内面に全周に亘り一連の肋状突起５５２を延設してあるため、壁内面沿い上昇気流の発生を妨げることができ、前述のように気流を分散させることができる。
【０２０９】
図２４、図２５、図２６及び図２９並びに拡大図である図３０に最もよく表されているように、平板壁５０９及び５１１の上部には、複数個のＬ字状の耳６０２が設けられている。
【０２１０】
図３１及び図３２に三面壁５０５、５０６、５１０及び５１２の構成を示す。三面壁５０５、５０６、５１０及び５１２は、それぞれ、大きな中央壁部分５６６の脇に小さな側壁部分５６４及び５６５を設けた構成であり、何れも平板壁５０９及び５１１と同様に内側外被、外側外被及び断熱ブロックから構成されている。外被同士の連結形態も図２４〜図２９を参照して説明したものと同様である。
【０２１１】
三面壁５０５、５０６、５１０及び５１２は、上部にある横方向の棚状張出５９７及びその内側にある直立壁フランジ５９８を有している。棚状張出５９７の両端には開口６０４が設けられており、前述した通り平板壁５０９及び５１１に設けられている耳６０２を、この開口６０４に嵌めることができる。
【０２１２】
図３３及び図３４に示すように、平板壁５０７及び５０８に設けられている一体型プラグ５７０は、コンポスト装置５００の容器内に向け内向きに突出している。この一体型プラグ５７０はおおよそ三角形断面であり、上部横壁５７１、下部傾斜壁５７２、複数個の垂直側壁５７３及び前方壁６３７を有している。上部横壁５７１には廂６７０が設けられており、それに連なる前方壁６３７には複数個の吸気口５７４が設けられている。このプラグ５７２の動作は、図１１及び図１２を参照して説明したプラグのそれと同様である。
【０２１３】
図３４に示すように、平板壁５０７及び５０８の内側外被５５７には、複数個の内部隔壁５７８を有する一体型プラグ５７０が設けられている。また、図３５に、外側外被５７９及び断熱ブロック５８０を示す。平板壁５０７及び５０８の内側外被５７７と外側外被５７９は図２４〜図２９を参照して説明したものと同様にして連結されている。図中、前述の部材と同様の部材には同一の参照符号を付してある。
【０２１４】
図３５に示す外側外観から明らかなように、外側外被５７９には取っ手６２７が設けられているので、平板壁５０７及び５０８の操作や位置決めは容易に行うことができる。また、取っ手６２７を使用して平板壁５０７を取り外すことにより、コンポスト装置５００の中の堆肥を取り出して空にすることができる。また、取っ手６２７は一体型プラグ５７０に至る空気流路６２７’にもなっている。この図に示すように、空気流路６２７’は箱状部分６２８によって囲まれており、その箱状部分６２８の中には例えば発泡体等の通気性素材が装填されている。この通気性素材は、空気流路６２７’を通ってコンポスト装置５００内に虫が入ることを防ぐためのものである。また、図３６にも示すように、原料堆肥化中に発生する重いガスをコンポスト装置５００から排出するため、排出管６２９が設けられている。
【０２１５】
図１４及び図１９に最もよく表されているように、基礎構造５０１は、概ね横方向に延びた棚状張出５９１と、直立フランジ５９２とにより、縁取られている。基礎構造５０１上への容器セグメント５０３の組付は、三面第１壁５０５の外側フランジ５９５が基礎構造５０１を縁取る棚状張出５９１の上に載り、横縁５９６が直立フランジ５９２の上端の上に載るよう、図３１に示した三面第１壁５０５を載せることによって行う。その際、三面第１壁５０５に設けられている一対の耳６０９が、図１９に示すように基礎構造５０１に設けられている複数個の切欠６１０のうち対応するものに嵌る。三面第２壁５０６も三面第１壁５０５と同様の構造であり、その耳６０９を切欠６１０’に嵌めることで同様に据え付けることができる。基礎構造５０１上への平板壁５０７及び５０８の据え付けも同様にして行われるが、これらの場合は複数個の耳６０７が複数個の切欠６０８’のうち対応するものに嵌る。この組立手順では図１９中の切欠６０８を使用する必要がないが、容器セグメント５０３の組付向きが９０°違う場合は、切欠６０８’に代わり切欠６０８が使用されることになる。
【０２１６】
図２５に最もよく表されているように、平板壁５０９及び５１１の下部には横縁５９９があり、またその横縁５９９からはフランジ６００が下向きに突出している。横縁５９９は下側にある三面壁５０５及び５０６のうち対応するものの直立壁フランジ５９８上に、またフランジ６００は直立壁フランジ５９８の外側にある棚状張出５９７上に、それぞれ据わる。同図中、内側外被５５０に設けられている耳６０１は、図３１に示すように三面第１壁５０５に設けられている切欠６０３に嵌める。
【０２１７】
同様に、容器セグメント５０３上への平板壁５０９及び５１１の据え付けは、下側にある平板壁５０７及び５０８のうち対応するものの横方向棚状張出６４０、並びに下側にある三面壁５０５及び５０６のうち対応するものの横方向棚状張出５９７の上に、上に据える三面壁５０５及び５０６の外側フランジ５９５を載せることによって行う。上側の三面壁５１０及び５１２の各耳６０９は、下側の三面壁５０５及び５０６の切欠６４１及び６４２に嵌る。
【０２１８】
即ち、各耳を対応する切欠の上に位置決めして各壁を下向きにスライドさせることにより、各耳が対応する切欠に嵌るように各壁を配置することができる。同様に、各耳が対応する切欠から外れるまで各壁を上向きにスライドさせ、その壁を引っ張ることにより、各壁をコンポスト装置５００から取り外すことができる。
【０２１９】
図３７及び図３８に蓋５０２の構成を示す。蓋５０２の下面には円形隆起５９０が設けられており、更にその内側には半環状隆起５９０ａが設けられている。半環状隆起５９０ａの役割は、蓋５０２の下面に発生した凝縮物を滴りやすくし、堆肥化途上物中に戻すことにある。蓋５０２は一片からなる構造物として形成してもよいし、二片の支材の間に断熱ブロックを挟み込んだ構成としてもよい。
【０２２０】
また、蓋５０２は、セグメント壁５０９、５１０、５１１及び５１２のうち対応するものと番う壁によって縁取られており、また各壁にはセグメント壁５０９、５１０、５１１及び５１２のうち対応するものに設けられた切欠に嵌るように耳が設けられている。
【０２２１】
図３９に蓋５０２の別例構成を示す。この例においては、コンポスト装置５００の縁に蓋５０２を架けられるよう、蓋５０２に懸架腕６３０が設けられている。図４０に示すように、この懸架腕６３０は、３個の耳６３１を背壁６３２に連結した構成を有している。背壁６３２には複数個のクリップ６３３が取り付けられており、蓋５０２の下面に設けられている図示しないスロットにこれらのクリップ６３３を差し込むことにより、懸架腕６３０を蓋５０２上の所定位置に固定することができる。また、懸架腕６３０の位置は、コンポスト装置５００の内壁面上にある肋状突起５４２と抵触、干渉しないような位置にしてある。
【０２２２】
本実施形態においても、コンポスト装置５００の容積を増すには、単に、図１４に示した二段目の容器セグメント５０４の上に三段目、四段目等々の容器セグメントを載せ、また二段目の通気器５２３の上に三段目、四段目等々の通気管を載せその上に三段目、四段目等々の通気器を載せればよい。このように容器セグメント及び通気器を随意に三段以上に増やすことができ、またそれは一段目上への二段目の追加と同じ要領で行える。追加された通気器は、先に述べた一段目及び二段目と同じ要領で動作する。逆に、二段目容器セグメント５０４並びにその通気管５２２及び通気器５２３を取り除き、一段目容器セグメント５０３の上に蓋５０２を載せることによって、容器セグメントが一段しかないコンポスト装置５００を実現することもできる。
【０２２３】
以上、本発明についてその特定の実施形態群を参照しつつ説明を行った。本件技術分野における習熟者（いわゆる当業者）であれば、以上の説明を参照しつつ本発明の技術的範囲及び根幹思想の範囲内で上記実施形態群に種々の変形を施すことができよう。本発明の技術的範囲は上記実施形態群に限定されるものではなく、当該変形物も本発明の技術的範囲に属するものである。
【０２２４】
また、本願明細書及び特許請求の範囲においては、「備える」「有する」「含む」「設ける」「ある」等の語を、特に断りや強い暗示がない限り開放的な意味で使用している。即ち、「備える」等の目的語になっている事物以外の事物を「備える」等する構成も、本発明の実施形態に該当しうるものとする。
【図面の簡単な説明】
【０２２５】
【図１】本発明の第１実施形態に係るコンポスト装置の断面図である。
【図２】図１に示したコンポスト装置を構成する容器セグメントのうち１個の斜視図である。
【図３】本発明の第２実施形態に係るコンポスト装置の斜視図である。
【図４】図３に示したコンポスト装置の一部分を詳細に示す切欠斜視図である。
【図５】図３に示したコンポスト装置の一部分を詳細に示す切欠斜視図である。
【図６】図３に示したコンポスト装置にて使用する断熱材片の斜視図である。
【図７】本発明の好適な実施形態に係るコンポスト装置と併用できる堆肥化促進器の展開図である。
【図８】本発明の第３実施形態に係るコンポスト装置の断面図である。
【図９】本発明の第４実施形態に係るコンポスト装置の容器セグメントの正面図である。
【図１０】図９に示したコンポスト装置の直線Ｘ−Ｘ沿い部分断面図である。
【図１１】図９に示したコンポスト装置の構成部品の斜視図である。
【図１２】本発明の第５実施形態に係るコンポスト装置の部分断面図である。
【図１３】本発明の第６実施形態に係るコンポスト装置の斜視図である。
【図１４】図１３に示したコンポスト装置の部分分解図である。
【図１５】図１３に示したコンポスト装置にて使用される通気器の側面図である。
【図１６】図１５に示した通気器の斜め下からの斜視図である。
【図１７】図１５に示した通気器の斜め上からの斜視図である。
【図１８】通気器の機能を示す斜視図である。
【図１９】図１３に示したコンポスト装置の基礎構造の斜め上からの斜視図である。
【図２０】図１９に示した基礎構造の斜め下からの斜視図である。
【図２１】図１３に示したコンポスト装置の滲出物室の斜め上からの斜視図である。
【図２２】図２１に示した滲出物室の斜め下からの斜視図である。
【図２３】図１３に示したコンポスト装置の底面図である。
【図２４】図１３に示したコンポスト装置の平板壁の外側からの斜視図である。
【図２５】図２４に示した平板壁の内側からの斜視図である。
【図２６】図２４及び図２５に示した平板壁の側面図である。
【図２７】図２６に示した平板壁の構成部品及び断熱ブロックの斜視図である。
【図２８】図２７に示した部品の斜視図である。
【図２９】図２６に示した平板壁の構成部品を示す斜視図である。
【図３０】図２９に示した部品の正面図である。
【図３１】図１３に示したコンポスト装置の三面壁の内側からの斜視図である。
【図３２】図３１に示した三面壁の外側からの斜視図である。
【図３３】更に別の平板壁及びそのプラグを示す斜視図である。
【図３４】図３３に示した平板壁の構成部品の外側からの斜視図である。
【図３５】図３３及び図３４に示した平板壁と併用される別の平板壁の内側からの斜視図である。
【図３６】図３５に示した平板壁の外側からの斜視図である。
【図３７】図１３に示したコンポスト装置の蓋の平面図である。
【図３８】図３７に示した蓋の下側からの斜視図である。
【図３９】蓋の別例構成を示す斜視図である。
【図４０】図３９に示した蓋の構成部品を示す斜視図である。
【図１】
2008515752.tif 000003
【図２】
2008515752.tif 000004
【図３】
2008515752.tif 000005
【図４】
2008515752.tif 000006
【図５】
2008515752.tif 000007
【図６】
2008515752.tif 000008
【図７】
2008515752.tif 000009
【図８】
2008515752.tif 000010
【図９】
2008515752.tif 000011
【図１０】
2008515752.tif 000012
【図１１】
2008515752.tif 000013
【図１２】
2008515752.tif 000014
【図１３】
2008515752.tif 000015
【図１４】
2008515752.tif 000016
【図１５】
2008515752.tif 000017
【図１６】
2008515752.tif 000018
【図１７】
2008515752.tif 000019
【図１８】
2008515752.tif 000020
【図１９】
2008515752.tif 000021
【図２０】
2008515752.tif 000022
【図２１】
2008515752.tif 000023
【図２２】
2008515752.tif 000024
【図２３】
2008515752.tif 000025
【図２４】
2008515752.tif 000026
【図２５】
2008515752.tif 000027
【図２６】
2008515752.tif 000028
【図２７】
2008515752.tif 000029
【図２８】
2008515752.tif 000030
【図２９】
2008515752.tif 000031
【図３０】
2008515752.tif 000032
【図３１】
2008515752.tif 000033
【図３２】
2008515752.tif 000034
【図３３】
2008515752.tif 000035
【図３４】
2008515752.tif 000036
【図３５】
2008515752.tif 000037
【図３６】
2008515752.tif 000038
【図３８】
2008515752.tif 000039
【図３９】
2008515752.tif 000040
【図４０】
2008515752.tif 000041
【手続補正書】
【提出日】平成18年7月13日(2006.7.13)
【手続補正１】
【補正対象書類名】特許請求の範囲
【補正対象項目名】全文
【補正方法】変更
【補正の内容】
【特許請求の範囲】
【請求項１】
堆肥原料を入れるコンポスト容器と、
コンポスト容器内に設けられ１個又は複数個の導気口を介しコンポスト容器内に空気を通すことにより好気分解による原料堆肥化を促進する通気器と、
本コンポスト装置外から通気器に空気を供給する空気流路部と、
生成された堆肥が通気器に蝟集することを妨げることにより通気器から導気口を介しコンポスト容器内に至る気流を確保する蝟集防止部材と、
を備え、
通気器が、下縁部から上端部に向い窄まった周壁の外表面に複数枚の外羽根が設けられた略円錐状部材を、空気流路部に連通する通気管によって支持し、更に通気管から略円錐状部材の内側に入った気流が周壁下縁部から外に出て行くようにした構成であり、
外羽根が、配設先の周壁に堆肥乃至堆肥化途上物が蝟集し周壁沿い上昇気流を妨げることを防ぎ、ひいては外羽根間気流及び堆肥原料乃至堆肥化途上物内浸透気流を確保する蝟集防止部材として機能するコンポスト装置。
【請求項２】
請求項１記載のコンポスト装置であって、通気器が直立管を有し、その直立管に１個又は複数個の導気口が設けられたコンポスト装置。
【請求項３】
請求項１記載のコンポスト装置であって、管状の通気器に被せたときにその管の外まで外縁部がはみ出すキャップを、蝟集防止部材として通気器に被せたコンポスト装置。
【請求項４】
請求項１記載のコンポスト装置であって、蝟集防止部材が窪みを有する略円盤状部材であり、その窪みに管状の通気器を入れることによりその管でその蝟集防止部材を支持させたコンポスト装置。
【請求項５】
請求項１記載のコンポスト装置であって、通気器及び通気管を複数個備え、それら通気器及び通気管が、下側通気器上に上側通気管が位置し上側通気管上に上側通気器の略円錐状部材が位置するよう配置されており、下側通気器の略円錐状部材における外羽根間気流が上側通気管を経て上側通気器の略円錐状部材の内側に入りその略円錐状部材の周壁下縁部近辺から外に出て堆肥原料乃至堆肥化途上物に浸透するコンポスト装置。
【請求項６】
請求項５記載のコンポスト装置であって、通気器の略円錐状部材が、上側通気管配置用スタッドが形成されるようその上端部に設けられた複数個の縦鰭を有し、その略円錐状部材における外羽根間気流がその略円錐状部材の縦鰭間を通って上側通気管ひいては上側通気器の略円錐状部材に流れ込むコンポスト装置。
【請求項７】
請求項６記載のコンポスト装置であって、各略円錐状部材が、下側通気管からその略円錐状部材の内側に入った気流を周壁下縁部方向に下降させるよう周壁内表面に設けられた複数枚の内羽根を有するコンポスト装置。
【請求項８】
請求項１記載のコンポスト装置であって、空気流路部が、本コンポスト装置外から空気を受け入れ通気器に導く通気管を有するコンポスト装置。
【請求項９】
請求項１記載のコンポスト装置であって、排出路形成材を載せた床と、床に形成された滲出物室と、を有する基礎構造を備え、堆肥化途上物からの滲出物が排出路形成材を介し滲出物室に入るコンポスト装置。
【請求項１０】
請求項１記載のコンポスト装置であって、コンポスト容器が、容器セグメント追加によってコンポスト容器容積を随時加増できるよう、複数個の容器セグメントの上下連結によって形成されたコンポスト装置。
【請求項１１】
請求項１０記載のコンポスト装置であって、各容器セグメントの周壁が壁面口を有し、通気器に空気を導入し又は滲出物室から滲出物を排出するための管をその壁面口に通したコンポスト装置。
【請求項１２】
請求項１１記載のコンポスト装置であって、複数個の容器セグメントのうち最下段の容器セグメントの上縁によって基礎構造が支持され、最下段の容器セグメントの上に二段目の容器セグメントが配置されたコンポスト装置。
【請求項１３】
請求項１記載のコンポスト装置であって、堆肥化途上物からの湿気を通す開口が１個又は複数個設けられた床を有する基礎構造と、基礎構造の床の下側に連結されており液体を排出する部材を有する滲出物室と、を備えるコンポスト装置。
【請求項１４】
請求項１３記載のコンポスト装置であって、基礎構造の床が滲出物室の天井を兼ねるコンポスト装置。
【請求項１５】
請求項１３記載のコンポスト装置であって、本コンポスト装置外から通気器に空気を供給する空気流路部が滲出物室を通るコンポスト装置。
【請求項１６】
請求項１１記載のコンポスト装置であって、各容器セグメントが、互いに向かい合うよう配置された第１及び第２壁と、互いに向かい合うよう第１壁第２壁間に配置された第３及び第４壁と、を有し、第１及び第２壁が、それぞれ、中央壁部分と、その中央壁部分に対し所定角度をなすよう配置された２個の側壁部分と、を有するコンポスト装置。
【請求項１７】
請求項１６記載のコンポスト装置であって、その構成が実質的に同一の複数個の容器セグメントが、下側容器セグメントとは９０°異なる向きで上側容器セグメントが下側容器セグメント上に配置されるよう、上下に積み重ねられたコンポスト装置。
【請求項１８】
請求項１６記載のコンポスト装置であって、堆肥原料乃至堆肥化途上物に補助空気を送り込む一体型プラグが、本コンポスト装置の奥に向け突出するよう第３及び第４壁に設けられたコンポスト装置。
【請求項１９】
請求項１１記載のコンポスト装置であって、各容器セグメントの周壁が、第１部分と、第１部分より内側に位置する第２部分と、を有し、複数個の容器セグメントを上下に重ねたときに、ある容器セグメントの第１部分内にその隣の容器セグメントの第２部分が入り込み、それら容器セグメントが一体に保持されるコンポスト装置。
【請求項２０】
請求項９記載のコンポスト装置であって、その上に微生物が生息できるよう基礎構造に併設された透水性マットを備え、その透水性マットが、その透水性マット及び基礎構造を通り滲出物室に向かう水分に対し生物利用濾過器として作用するコンポスト装置。
【請求項２１】
請求項１１記載のコンポスト装置であって、通気器に空気を導入するための管が入る壁面口が、その管を通る空気がコンポスト容器内部での堆肥化現象に伴う発熱で暖められた上で通気器に供給されるよう、基礎構造より上方に設けられたコンポスト装置。
【請求項２２】
請求項１記載のコンポスト装置であって、
コンポスト容器が、プラグ収容口が設けられた周壁及びプラグ収容口内に配置されたプラグを有し、
プラグが、前面パネル及び気流方向決定器を有し、
気流方向決定器が、上記周壁から奥まった場所に前面パネルからの気流を差し向けるコンポスト装置。
【請求項２３】
請求項２２記載のコンポスト装置であって、前面パネルが複数個の吸気口を有し、気流方向決定器が、上記周壁より奥に突出した室を有するコンポスト装置。
【請求項２４】
請求項２３記載のコンポスト装置であって、上記室が、その中に断熱材が配置された第１房及び第１房から見て上方に傾いた第２房を有し、第２房を形成する上下の壁のうち下側の壁に導気口が１個又は複数個設けられており、第２房内の空気が導気口を介し上記周壁から奥まった場所にある堆肥化途上物に入るコンポスト装置。
【請求項２５】
請求項２４記載のコンポスト装置であって、前面パネルに排出口が１個又は複数個設けられたコンポスト装置。
【請求項２６】
堆肥原料を入れるコンポスト容器と、本コンポスト装置内に配置され堆肥原料及び形成された堆肥を支持する基礎構造と、滲出物をコンポスト容器外に出す排出部材と、を備え、
基礎構造が、その上方が開口しており排出路形成材が入る空間を形成する湾曲した床と、床に形成された滲出物室と、を有し、
形成された滲出物が、床上方の開口及び排出路形成材を介し滲出物室に流れ込み、滲出物室内の滲出物が、排出部材によってコンポスト容器外に出されるコンポスト装置。
【請求項２７】
請求項２６記載のコンポスト装置であって、上記床が、略椀状に湾曲した部分と、下向きに延び滲出物室を形成する部分と、を有するコンポスト装置。
【請求項２８】
請求項２６記載のコンポスト装置であって、コンポスト容器が、コンポスト容器外の空気をコンポスト容器内に供給する通気器を内蔵しており、その空気によってコンポスト容器内堆肥原料の好気分解を促進し堆肥を形成させるコンポスト装置。
【請求項２９】
堆肥原料を入れるコンポスト容器を備え、
コンポスト容器が、それぞれ外部に面する周壁を有し上下に積み重なってコンポスト容器を形成する互いに別体の複数個の容器セグメントを有し、
最上段の容器セグメント上に更に別の容器セグメントを継ぎ足すことによりコンポスト容器の容積を加増可能なコンポスト装置。
【請求項３０】
請求項２９記載のコンポスト装置であって、堆肥原料に空気を供給してその好気分解を促進する通気器を備え、容器セグメントの積み重ね段数を増す際には、既存の通気器の上に別の通気器を配置して通気器合計の寸法を伸ばし、コンポスト容器内に追加される新たな堆肥原料への空気供給ひいてはその好気分解をそれら通気器により促進するコンポスト装置。
【請求項３１】
請求項２９記載のコンポスト装置であって、各容器セグメントが、互いに向かい合うよう配置された第１及び第２壁と、互いに向かい合うよう第１壁第２壁間に配置された第３及び第４壁と、を有し、第１及び第２壁が、それぞれ、中央壁部分と、その中央壁部分に対し所定角度をなすよう配置された２個の側壁部分と、を有するコンポスト装置。
【請求項３２】
請求項３１記載のコンポスト装置であって、その構成が実質的に同一の複数個の容器セグメントが、下側容器セグメントとは９０°異なる向きで上側容器セグメントが下側容器セグメント上に配置されるよう、上下に積み重ねられたコンポスト装置。
【請求項３３】
請求項３１記載のコンポスト装置であって、堆肥原料乃至堆肥化途上物に補助空気を送り込む一体型プラグが、本コンポスト装置の奥に向け突出するよう第３及び第４壁に設けられたコンポスト装置。
【請求項３４】
請求項３２記載のコンポスト装置であって、下側容器セグメント又は基礎構造を縁取る棚状張出及び直立フランジに対応して、容器セグメントを構成する各壁の下部に横縁及び下方突出フランジが設けられたコンポスト装置。
【請求項３５】
請求項３４記載のコンポスト装置であって、上側容器セグメントを受け止めるため、下側容器セグメントを構成する各壁の上部に棚状張出及び上方直立フランジが設けられたコンポスト装置。
【請求項３６】
請求項３５記載のコンポスト装置であって、下側容器セグメントの上部にある棚状張出及び上方直立フランジ上に上側容器セグメントを据えるため、当該上側容器セグメントを構成する壁の下部に横縁及び下方突出フランジが設けられたコンポスト装置。
【請求項３７】
請求項３６記載のコンポスト装置であって、最下段容器セグメントを基礎構造上に配置し下側容器セグメント上に上側容器セグメントを配置するため、容器セグメントを構成する壁に相互位置決め可能な切欠及び耳が設けられたコンポスト装置。
【請求項３８】
請求項３７記載のコンポスト装置であって、容器セグメントを構成する各壁が、外側外被と、内側外被と、外側外被と内側外被の間に配置された断熱ブロックと、を有するコンポスト装置。
【請求項３９】
請求項２９記載のコンポスト装置であって、
コンポスト容器が、プラグ収容口が設けられた周壁及びプラグ収容口内に配置されたプラグを有し、
プラグが、前面パネル及び気流方向決定器を有し、
気流方向決定器が、上記周壁から奥まった場所に前面パネルからの気流を差し向けるコンポスト装置。
【請求項４０】
その周壁によって形成された堆肥化室内に堆肥原料が入るコンポスト容器と、コンポスト容器の周壁上にあるプラグ収容口内に配置されたプラグと、を備え、
プラグが、
（ｉ）上記周壁外からプラグ内に空気を導入するための吸気口が１個又は複数個設けられた前面パネルと、
（ｉｉ）上記周壁の外表面に対して奥まった位置にて空気が堆肥化途上物に入りその空気がその中を上昇していくよう上記周壁に囲まれた堆肥化室内に空気を差し向ける気流方向決定器と、
を有するコンポスト装置。
【請求項４１】
請求項４０記載のコンポスト装置であって、気流方向決定器が、その中に断熱材が配置された第１房と、第１房に連通する第２房と、を有し、第２房を形成する上下の壁のうち少なくとも下側の壁に第２房が先窄まりになるよう上向きのテーパが付されており、本コンポスト装置を地面上に水平に据えたときに上記吸気口より高い位置になるよう、第２房を形成する下側の壁に導気口が設けられたコンポスト装置。
【請求項４２】
請求項４１記載のコンポスト装置であって、第１房と第２房を仕切る隔壁を備え、上記導気口より下方にその隔壁の下縁が位置するコンポスト装置。
【請求項４３】
請求項４０記載のコンポスト装置であって、プラグが、上記周壁の一部分を構成する部分壁と一体化されており、プラグ収容口が、上記部分壁を収容できるよう且つ当該部分壁を収容したときプラグが上記周壁の内表面から奥まった場所に届くよう、設けられたコンポスト装置。
【請求項４４】
請求項４３記載のコンポスト装置であって、気流方向決定器が、ほぼ真横に延びる上側の壁と、上記周壁から斜め上に延びる下側の壁と、前面パネルとなる部分を含み当該上側の壁と当該下側の壁の間に位置し且つ当該前面パネルとなる部分に複数個の吸気口が形成された外壁と、を有し、これらの壁により略三角形断面部分を有する室が形成されたコンポスト装置。
【請求項４５】
請求項４４記載のコンポスト装置であって、気流方向決定器の上側の壁が、前面パネルを超えて外側に張り出した廂を有し、その廂によって吸気口をカバーし吸気口の閉塞を防ぐコンポスト装置。
【請求項４６】
請求項４０記載のコンポスト装置であって、堆肥原料の堆肥化によって生じた重いガスを本コンポスト装置から排出するための排出口が、プラグ下部に設けられたコンポスト装置。
【請求項４７】
請求項４０記載のコンポスト装置であって、気流方向決定器が、堆肥化室内の上記周壁から奥まった場所までその一部が入り込むようプラグを貫通する傾斜管を有し、傾斜管が、上記吸気口を形成する開放端と、内側端と、を有し、傾斜管のうち堆肥化室内に延びた部分の下面上、内側端に近接した位置に導気口が設けられており、開放端の位置がこの導気口より低くなるよう傾斜管を傾斜させたコンポスト装置。
【請求項４８】
請求項４７記載のコンポスト装置であって、傾斜管の下方に設けられ横方向に延びる水平管を備えるコンポスト装置。
【請求項４９】
堆肥原料を入れるコンポスト容器と、コンポスト容器内に配置された通気器と、コンポスト容器外から通気器の内部室に空気を供給する空気流路部と、を備え、
通気器が、下縁部から上端部に向い窄まった形状を有し上記内部室を形成する周壁と、周壁の外表面上に設けられた複数枚の外羽根と、を有する略円錐状部材を備え、
空気流路部を出た気流が上記内部室に入り、周壁下縁部を巡って周壁外表面に達し、外羽根間を通って上昇しつつコンポスト容器内堆肥化途上物に浸透するコンポスト装置。
【請求項５０】
請求項４９記載のコンポスト装置であって、略円錐状部材が、その周壁の内表面上に設けられた複数枚の内羽根を有し、それら内羽根によって、空気流路部から出た気流を助力し周壁下縁部まで下降させるコンポスト装置。
【請求項５１】
請求項５０記載のコンポスト装置であって、コンポスト容器内で通気器を支持できるよう、空気流路部を構成する通気管によって略円錐状部材を支持し、その際その通気管上に略円錐状部材を載せるために略円錐状部材に横縁が設けられたコンポスト装置。
【請求項５２】
請求項５１記載のコンポスト装置であって、上記横縁がその周壁の内表面上にある内羽根上に形成されたコンポスト装置。
【請求項５３】
請求項４９記載のコンポスト装置であって、略円錐状部材が、その上端部に設けられた複数個の縦鰭を有し、それら縦鰭上に別の管を配置したとき略円錐状部材周壁外表面に沿って外羽根間を上昇した気流が縦鰭間を通ってその管に入るコンポスト装置。
【請求項５４】
請求項５３記載のコンポスト装置であって、その上に上記別の管が配置される横縁が外羽根上に形成され、当該別の管が縦鰭上に座したコンポスト装置。
【請求項５５】
請求項５４記載のコンポスト装置であって、縦鰭が外羽根と一続きになっており、上記横縁が外羽根と縦鰭の境目部分に形成されており、その横縁上に上記別の管が載るコンポスト装置。
【請求項５６】
請求項５５記載のコンポスト装置であって、上記別の管の上に別の略円錐状部材を配置することによって別の通気器が形成されたコンポスト装置。
【国際調査報告】
2008515752.tif 000042
2008515752.tif 000043
2008515752.tif 000044
2008515752.tif 000045
2008515752.tif 000046